(57)【要約】【課題】ユーザの画像の購入意欲を高める。【解決手段】管理サーバ（４）は、生成画像を画像提供サイト内に保存させるために、生成画像のサムネイルを１つ以上含み、選択されたサムネイルを、同画面において選択前よりも視認性高く表示する画像保存画面を携帯端末（６）に表示させるためのメールまたはページを作成するメール作成部（４１２）またはウェブページ作成部（４１３）と、メールを携帯端末（６）に送信する通信部（４０３）とを備える。【選択図】図１
2017027258.tif 000002
【特許請求の範囲】
【請求項１】
課金に応じて画像を生成する画像生成装置にて作成された１枚以上の画像を管理し、該画像を通信端末に配信する情報配信装置であって、
上記画像の一部または全部を上記通信端末のユーザに購入させる購入画面を表示するための表示データを作成する表示データ作成部と、
上記表示データを、上記通信端末に送信する送信部と、を備え、
上記表示データは、上記通信端末の表示部に、上記購入画面として上記画像の見本画像を１つ以上配置した画面を表示させ、かつ、上記購入画面にて選択された上記見本画像の少なくとも一部の画像領域を選択前よりも視認性が高い状態で上記購入画面に表示させるデータであることを特徴とする情報配信装置。
【請求項２】
上記表示データは、選択された上記見本画像を選択前よりも大きなサイズで表示させることにより、選択された上記見本画像を上記視認性が高い状態で表示させるデータであることを特徴とする、請求項１に記載の情報配信装置。
【請求項３】
上記見本画像は、上記購入画面にて明度、彩度、色相、および解像度の少なくともいずれかが当該見本画像に対応する上記画像と異なるように見える状態で表示されており、
上記表示データは、選択された上記見本画像の少なくとも一部の画像領域について、明度、彩度、色相、および解像度の少なくともいずれかが選択前に比べて上記画像と同じまたは近い状態で見えるように表示させることで、選択された上記見本画像を上記視認性が高い状態で表示させるデータであることを特徴とする、請求項１または２に記載の情報配信装置。
【請求項４】
上記画像はユーザの顔を撮影した写真または当該写真から作成された画像であり、
上記表示データは、選択された上記見本画像のユーザの顔を含む一部の画像領域の明度、彩度、色相、および解像度の少なくともいずれかが選択前に比べて上記画像と同じまたは近い状態で見えるように表示させることで、選択された上記見本画像を上記視認性が高い状態で表示させるデータであることを特徴とする、請求項３に記載の情報配信装置。
【請求項５】
上記表示データは、選択された上記見本画像を、当該見本画像に対応する上記画像よりもサイズおよび解像度の少なくとも一方が小さい状態で上記表示部に表示させるデータであることを特徴とする、請求項１〜４のいずれか１項に記載の情報配信装置。
【請求項６】
上記表示データは、上記購入画面として、上記見本画像と、上記画像の一部または全部を購入するためのリンクオブジェクトとを、上記表示部の表示領域内に同時に配置した画面を表示させるデータであることを特徴とする、請求項１〜５のいずれか１項に記載の情報配信装置。
【請求項７】
上記リンクオブジェクトは上記画像を全て購入するための全購入リンクオブジェクトと、上記画像の一部を購入するための一部購入リンクオブジェクトとを含み、
上記表示データは、上記購入画面として上記購入画面のスクロール方向に沿って順に、上記見本画像と、上記全購入リンクオブジェクトと、上記一部購入リンクオブジェクトとを配置した画面を表示させることを特徴とする、請求項６に記載の情報配信装置。
【請求項８】
上記表示データは、上記購入画面として、直近に上記画像生成装置において作成された上記画像の見本画像と、直近の上記画像の作成以前に作成された画像であって上記ユーザが未購入である未購入画像の見本画像と、をそれぞれ１つ以上配置した画面を表示させるデータであることを特徴とする、請求項１〜７のいずれか１項に記載の情報配信装置。
【請求項９】
上記表示データは、上記購入画面として、上記画像の見本画像と、上記未購入画像の見本画像とをそれぞれ、上記表示部の表示領域内の異なる領域に区別して配置した画面を表示させるデータであることを特徴とする、請求項８に記載の情報配信装置。
【請求項１０】
請求項１〜９のいずれか１項に記載の情報配信装置と通信する通信端末であって、
入力操作を受け付ける入力部と、
上記表示データを上記情報配信装置から受信する受信部と、
上記表示データに応じて上記購入画面を上記表示部に表示させる表示制御部と、を備え、
上記入力部に対し上記見本画像のいずれかを選択する入力操作がなされた場合、上記表示制御部は、選択された上記見本画像の少なくとも一部の画像領域を選択前よりも視認性が高い状態で上記購入画面に表示させることを特徴とする通信端末。
【請求項１１】
課金に応じて画像を生成する画像生成装置にて作成された１枚以上の画像を管理し、該画像を通信端末に配信する情報配信装置の制御方法であって、
上記画像の一部または全部を上記通信端末のユーザに購入させる購入画面を表示するための表示データを作成する表示データ作成ステップと、
上記表示データを、上記通信端末に送信する送信ステップと、を含み、
上記表示データは、上記通信端末の表示部に、上記購入画面として上記画像の見本画像を１つ以上配置した画面を表示させ、かつ、上記購入画面にて選択された上記見本画像の少なくとも一部の画像領域を選択前よりも視認性が高い状態で上記購入画面に表示させるデータであることを特徴とする制御方法。
【請求項１２】
請求項１〜９のいずれか１項に記載の情報配信装置と通信する通信端末の制御方法であって、
入力操作を受け付ける入力ステップと、
上記表示データを上記情報配信装置から受信する受信ステップと、
上記表示データに応じて上記購入画面を上記表示部に表示させる表示制御ステップと、を備え、
上記入力ステップで上記見本画像のいずれかを選択する入力操作がなされた場合、上記表示制御ステップにおいて、選択された上記見本画像の少なくとも一部の画像領域を選択前よりも視認性が高い状態で上記購入画面に表示させることを特徴とする通信端末。
【請求項１３】
課金に応じて画像を生成する画像生成装置と、
上記画像を管理し、該画像を通信端末に配信する請求項１〜９のいずれか１項に記載の情報配信装置と、
上記情報配信装置と通信する請求項１０に記載の通信端末と、を備えることを特徴とする情報配信システム。
【請求項１４】
請求項１に記載の情報配信装置としてコンピュータを機能させるための制御プログラムであって、上記表示データ作成部および上記送信部としてコンピュータを機能させるための制御プログラム。
【請求項１５】
請求項１４に記載の制御プログラムを記録したコンピュータ読み取り可能な記録媒体。
【請求項１６】
請求項１０に記載の通信端末としてコンピュータを機能させるための制御プログラムであって、上記入力部、上記受信部、および上記表示制御部としてコンピュータを機能させるための制御プログラム。
【請求項１７】
請求項１６に記載の制御プログラムを記録したコンピュータ読み取り可能な記録媒体。
【発明の詳細な説明】
【技術分野】
【０００１】
本発明は画像生成装置にて作成された複数の画像を管理する情報配信装置および通信端末等に関する。
【背景技術】
【０００２】
近年、写真シール作成装置で撮影した写真から作成される画像は、シールに印刷して提供されるだけでなく、当該画像の電子データがユーザの端末などにダウンロードが可能なようになっている。例えば、特許文献１には、写真シール作成装置で作成し、サーバ等で一時保存されている画像のサムネイル画像と、その画像をダウンロードするためのＵＲＬ（Uniform Resource Locater）とが記載された、画像の到着（一時保存の完了）を知らせるメールをユーザの所有する端末に送信し、ユーザがＵＲＬをクリックすることで、上記画像をダウンロードすることができる技術が開示されている。また、特許文献２には、画像取得サイトの個人ページにおいて、サムネイル画像とともに、当該サンプル画像を含む作成した画像を全部保存するか、１枚のみ保存するかが選択できるようにする技術が開示されている。
【先行技術文献】
【特許文献】
【０００３】
【特許文献１】特許第５１４６１４８号（２０１２年１２月７日登録）
【特許文献２】特開２０１２−２３５３１５号公報（２０１２年１１月２９日公開）
【発明の概要】
【発明が解決しようとする課題】
【０００４】
ところで、上述した画像のダウンロードサービスは、一般的にユーザの課金（または登録）行為に応じて提供される。例えば、画像をダウンロードするために、ユーザは当該ダウンロードサービスの提供サイトなどに有料会員登録または無料会員登録を行う必要がある。換言すると、ユーザは画像（の電子データ）を、有料会員登録または無料会員登録を行うことにより購入しているといえる。
【０００５】
ところで、ユーザは会員登録を行う（画像を購入する）前に、ダウンロードできる画像がどのような画像であるか写りを確認したいと推測できる。しかしながら、特許文献１に記載の技術では、上記画像のサムネイルを表示するのみであるため、ユーザが画像の写りを十分に確認できないという問題があった。
【０００６】
本発明は上記問題点に鑑みたものであり、その目的は、画像の購入前にユーザに当該画像の写りを確認させることにより、ユーザの画像の購入意欲を高めることが可能な情報配信装置および通信端末等を実現することにある。
【課題を解決するための手段】
【０００７】
上記の課題を解決するために、本発明に係る情報配信装置は、課金に応じて画像を生成する画像生成装置にて作成された１枚以上の画像を管理し、該画像を通信端末に配信する情報配信装置であって、上記画像の一部または全部を上記通信端末のユーザに購入させる購入画面を表示するための表示データを作成する表示データ作成部と、上記表示データを、上記通信端末に送信する送信部と、を備え、上記表示データは、上記通信端末の表示部に、上記購入画面として上記画像の見本画像を１つ以上配置した画面を表示させ、かつ、上記購入画面にて選択された上記見本画像の少なくとも一部の画像領域を選択前よりも視認性が高い状態で上記購入画面に表示させるデータであることを特徴としている。
【０００８】
また、上記の課題を解決するために、本発明に係る情報配信装置の制御方法は、課金に応じて画像を生成する画像生成装置にて作成された１枚以上の画像を管理し、該画像を通信端末に配信する情報配信装置の制御方法であって、上記画像の一部または全部を上記通信端末のユーザに購入させる購入画面を表示するための表示データを作成する表示データ作成ステップと、上記表示データを、上記通信端末に送信する送信ステップと、を含み、上記表示データは、上記通信端末の表示部に、上記購入画面として上記画像の見本画像を１つ以上配置した画面を表示させ、かつ、上記購入画面にて選択された上記見本画像の少なくとも一部の画像領域を選択前よりも視認性が高い状態で上記購入画面に表示させるデータであることを特徴としている。
【０００９】
上記の構成によれば、表示データ作成部が作成した表示データを送信部が通信端末に送信することにより、通信端末にて画像の見本画像を配置した購入画面が表示される。さらに、上記表示データは通信端末にて見本画像が選択された場合に当該見本画像の少なくとも一部の画像領域を、選択前よりも視認性高く表示させるデータである。そのため情報配信装置は通信端末に、購入画面において選択された見本画像の少なくとも一部の画像領域を、選択前よりも視認性高く表示させることができる。
【００１０】
したがって情報配信装置は、通信装置に表示させた購入画面において、ユーザに画像の購入前に当該画像の写りを確認させることができる。これにより、ユーザは画像生成装置にて作成された画像を自分で評価し、好みの画像を購入することができる。さらに言えば、情報配信装置は、見本画像が選択された場合画像の写りを視認性良くユーザに提示することができるので、ユーザの画像の購入意欲を高めることができる。
【００１１】
また、本発明に係る情報配信装置において、上記表示データは、選択された上記見本画像を選択前よりも大きなサイズで表示させることにより、選択された上記見本画像を上記視認性が高い状態で表示させるデータであってもよい。
【００１２】
上記の構成によれば、情報配信装置は通信端末に、購入画面において選択された見本画像を選択前よりも大きなサイズで表示させることができる。ここで、「大きなサイズ」とは、単に見本画像の倍率を拡大することのみならず、通信端末の表示部の表示領域に合わせて、当該見本画像が対応する画像の解像度や表示サイズなどを再調整することであってもよい。換言すると、選択後に表示される大きなサイズの見本画像は、選択前の見本画像を加工したものであってもよいし、見本画像の元となる画像から解像度や表示サイズを適宜決定し再作成した見本画像であってもよい。
【００１３】
これにより、情報配信装置はユーザに対し画像の写りをより詳細に確認させ、購入するか否かを検討させることができる。したがって、情報配信装置はユーザの画像の購入意欲をより高めることができる。
【００１４】
また、本発明に係る情報配信装置において、上記見本画像は、上記購入画面にて明度、彩度、色相、および解像度の少なくともいずれかが当該見本画像に対応する上記画像と異なるように見える状態で表示されており、上記表示データは、選択された上記見本画像の少なくとも一部の画像領域について、明度、彩度、色相、および解像度の少なくともいずれかが選択前に比べて上記画像と同じまたは近い状態で見えるように表示させることで、選択された上記見本画像を上記視認性が高い状態で表示させるデータであってもよい。
【００１５】
上記の構成によれば、情報配信装置は通信端末に購入画面として、明度、彩度、色相、および解像度の少なくともいずれかが実際の画像と異なるように見える状態で表示されている見本画像を配置した画面を表示させる。さらに、情報配信装置は通信端末に、選択された見本画像が選択前に比べて上記画像と同じまたは近い状態で見えるように表示させる。なお、選択後に表示される見本画像は、選択前の見本画像を加工したものであってもよいし、見本画像の元の画像から明度、彩度、色相、および解像度の少なくともいずれかの変更具合を適宜決定し再作成した見本画像であってもよい。
【００１６】
これにより、情報配信装置はユーザの選択に応じて元の画像により近い画像を提示し、購入するか否かを検討させることができる。したがって、情報配信装置はユーザの画像の購入意欲をより高めることができる。
【００１７】
また、本発明に係る情報配信装置において、上記画像はユーザの顔を撮影した写真または当該写真から作成された画像であり、上記表示データは、選択された上記見本画像のユーザの顔を含む一部の画像領域の明度、彩度、色相、および解像度の少なくともいずれかが選択前に比べて上記画像と同じまたは近い状態で見えるように表示させることで、選択された上記見本画像を上記視認性が高い状態で表示させるデータであってもよい。
【００１８】
上記の構成によれば、画像生成装置にて作成された画像はユーザの顔を含む画像である。そのため、ユーザは上記画像の写りとして、自分の顔がどのように写っているかを最も確認したいであろうと推測できる。換言すると、画像におけるユーザの顔の写り具合が購入の決め手になる可能性が高いといえる。
【００１９】
そして上記の構成によれば、情報配信装置はユーザに対し、画像の画像領域のうち、当該ユーザが最も確認したいであろう顔の写りをより詳細に確認させ、購入するか否かを検討させることができる。したがって、情報配信装置はユーザの画像の購入意欲をより高めることができる。
【００２０】
また、本発明に係る情報配信装置において、上記表示データは、選択された上記見本画像を、当該見本画像に対応する上記画像よりもサイズおよび解像度の少なくとも一方が小さい状態で上記表示部に表示させるデータであることが好ましい。
【００２１】
上記の構成によれば、情報配信装置は通信端末に、選択された見本画像を、画像生成装置にて作成された元の画像に比べサイズおよび解像度の少なくとも一方が小さい状態で表示させることができる。これにより、例えば選択された見本画像を通信端末のスクリーンショット機能などにより画像を複製しようとしても、サイズおよび解像度の少なくとも一方が小さい画像、すなわち、元の画像から劣化した画像しか取得できなくなる。つまり、情報配信装置は通信端末における画像の不正入手（購入せずに画像を入手すること）を防ぐことができる。
【００２２】
また、本発明に係る情報配信装置において、上記表示データは、上記購入画面として、上記見本画像と、上記画像の一部または全部を購入するためのリンクオブジェクトとを、上記表示部の表示領域内に同時に配置した画面を表示させるデータであることが好ましい。
【００２３】
上記の構成によれば、情報配信装置は通信端末の表示部の表示領域内（ユーザが一度に閲覧可能な領域内）に、見本画像と、リンクオブジェクトとを同時に配置した購入画面を表示させることができる。そのため、購入画面を閲覧するユーザは見本画像の確認後、画面をスクロールせずに購入のためのリンクオブジェクトを操作することができる。したがって、情報配信装置は、ユーザの画像購入意欲をより高めることができる。
【００２４】
また、本発明に係る情報配信装置において、上記リンクオブジェクトは上記画像を全て購入するための全購入リンクオブジェクトと、上記画像の一部を購入するための一部購入リンクオブジェクトとを含み、上記表示データは、上記購入画面として上記購入画面のスクロール方向に沿って順に、上記見本画像と、上記全購入リンクオブジェクトと、上記一部購入リンクオブジェクトとを配置した画面を表示させることが好ましい。
【００２５】
上記の構成によれば、情報配信装置は通信端末に購入画面として、画面スクロール方向（すなわち、ユーザの視線が移動していく方向）に沿って順に、見本画像、全購入リンクオブジェクト、一部購入リンクオブジェクトが配置された画面を表示させる。これにより、購入画面を閲覧するユーザは見本画像を確認した後、自然な視線の流れに沿って全購入リンクオブジェクトおよび一部購入リンクオブジェクトを見つけることができる。
【００２６】
さらに言えば、情報配信装置は通信端末に表示させた購入画面において、ユーザに先に見本画像を確認させ、購入意欲を高めてから購入のための各種リンクオブジェクトを見せることができるため、ユーザを効果的に画像購入へと誘導することができる。
【００２７】
また、画像全部を購入するほどの購入意欲が無いユーザにも、全購入リンクオブジェクトの後に一部購入リンクオブジェクトを見せることで、一部の画像だけでも購入するよう誘導することができる。
【００２８】
また、本発明に係る情報配信装置において、上記表示データは、上記購入画面として、直近に上記画像生成装置において作成された上記画像の見本画像と、直近の上記画像の作成以前に作成された画像であって上記ユーザが未購入である未購入画像の見本画像と、をそれぞれ１つ以上配置した画面を表示させるデータであってもよい。
【００２９】
上記の構成によれば、情報配信装置は、画像生成装置において直近に作成された画像だけでなく、過去（上記画像の作成以前）に作成されたが、ユーザが購入に至らなかった（すなわち、現在未購入である）未購入画像の見本画像を購入画面に再度表示することができる。これにより、情報配信装置は、ユーザに未購入画像を購入する機会を与えることができる。
【００３０】
また、上記画像の見本画像とともに上記未購入画像の見本画像が表示されるため、ユーザに購入可能な画像（上記画像および未購入画像）をより多く見せることができ、ユーザの購入意欲をより高めることができる。
【００３１】
また、本発明に係る情報配信装置において、上記表示データは、上記購入画面として、上記画像の見本画像と、上記未購入画像の見本画像とをそれぞれ、上記表示部の表示領域内の異なる領域に区別して配置した画面を表示させるデータであってもよい。
【００３２】
上記の構成によれば画像の見本画像と未購入画像の見本画像とは混合されることなく分けて配置される。したがって、ユーザは直近に撮影した画像の見本画像と、未購入画像の見本画像とを明確に区別して各見本画像を評価し、購入を検討することができる。したがって、ユーザビリティの向上によりユーザの購入意欲をより高めることができる。
【００３３】
上記の課題を解決するために、本発明に係る通信端末は、上述した情報配信装置いずれかと通信する通信端末であって、入力操作を受け付ける入力部と、上記表示データを上記情報配信装置から受信する受信部と、上記表示データに応じて上記購入画面を上記表示部に表示させる表示制御部と、を備え、上記入力部に対し上記見本画像のいずれかを選択する入力操作がなされた場合、上記表示制御部は、選択された上記見本画像の少なくとも一部の画像領域を選択前よりも視認性が高い状態で上記購入画面に表示させることを特徴としている。
【００３４】
また、上記の課題を解決するために、本発明に係る通信端末の制御方法は、上述した情報配信装置いずれかと通信する通信端末の制御方法であって、入力操作を受け付ける入力ステップと、上記表示データを上記情報配信装置から受信する受信ステップと、上記表示データに応じて上記購入画面を上記表示部に表示させる表示制御ステップと、を備え、上記入力ステップで上記見本画像のいずれかを選択する入力操作がなされた場合、上記表示制御ステップにおいて、選択された上記見本画像の少なくとも一部の画像領域を選択前よりも視認性が高い状態で上記購入画面に表示させることを特徴としている。
【００３５】
上記の構成によれば、受信部は表示データ作成部が作成した表示データを受信し、表示制御部は当該表示データに応じて購入画面を表示する。表示制御部はさらに、入力部に対し見本画像を選択する入力操作がなされた場合、上記見本画像の少なくとも一部の画像領域を、選択前よりも視認性高く表示部に表示させる。
【００３６】
したがって通信端末は、ユーザに画像の購入前に当該画像の写りを確認させることができる。これにより、ユーザは画像生成装置にて作成された画像を自分で評価し、好みの画像を購入することができる。さらに言えば、情報配信装置は、画像の写りを見本画像よりも視認性良くユーザに提示することができるので、ユーザの画像の購入意欲を高めることができる。
【００３７】
上記の課題を解決するために、本発明に係る情報配信システムは、課金に応じて画像を生成する画像生成装置と、上記画像を管理し、該画像を通信端末に配信する上記情報配信装置と、上記情報配信装置と通信する上記通信端末と、を備えることを特徴としている。
【００３８】
上記の構成によれば、上記情報配信装置および上記通信端末と同様の効果を奏する。
【００３９】
上記情報配信装置または上記通信端末は、コンピュータによって実現してもよく、この場合には、コンピュータを上記情報配信装置または上記通信端末にて実現させる上記情報配信装置または上記通信端末の制御プログラム、およびそれを記録したコンピュータ読み取り可能な記録媒体も、本発明の範疇に入る。
【発明の効果】
【００４０】
本発明は、画像の購入前にユーザに当該画像の写りを確認させることにより、ユーザの画像の購入意欲を高めることができるという効果を奏する。
【図面の簡単な説明】
【００４１】
【図１】本発明の第１実施形態に係る管理サーバの要部構成を示すブロック図である。
【図２】本発明の第１実施形態に係る画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影からマイページ表示までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】画像保存メールにより表示される画像保存画面の一例を示す図である。
【図１７】上記画像保存画面の全体の構成を示す図である。
【図１８】上記画像保存画面の変形例を示す図である。
【図１９】画像提供サイトのマイページおよび画像保存誘導ページの具体例を示す図である。
【図２０】画像保存誘導ページにおけるサムネイルの強調表示の変形例を示す図である。
【図２１】写真シール作成装置の直近の１プレイで作成される生成画像のサムネイルと、過去画像のサムネイルとを併せて表示する場合の、画像保存誘導ページの画面例を示す図である。
【図２２】写真シール作成装置の直近の１プレイで作成される生成画像のサムネイルと、過去画像のサムネイルとを併せて表示する場合の、画像保存誘導ページの画面例の変形例を示す図である。
【図２３】写真シール作成装置の直近の１プレイで作成される生成画像のサムネイルと、過去画像のサムネイルとを併せて表示する場合の、画像保存誘導ページの画面例の変形例を示す図である。
【図２４】画像保存誘導ページにおけるサムネイルの配置、スクロール方向、および強調表示の変形例を示す図である。
【図２５】画像保存誘導ページにおけるサムネイルの配置、スクロール方向、および強調表示の変形例を示す図である。
【図２６】画像保存誘導ページおよび画像保存メールの画面におけるサムネイルの配置、スクロール方向、および強調表示の変形例を示す図である。
【図２７】本発明の第１実施形態における管理サーバの会員データベースに保存されているユーザ管理情報の一例を示す図である。
【図２８】本発明の第１実施形態における管理サーバの画像保存データベースに保存されている画像管理情報の一例を示す図である。
【発明を実施するための形態】
【００４２】
〔実施形態１〕
本発明の第１実施形態について、図１〜図１８を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、奥行および幅などの寸法は、実際の形状および寸法を反映させたものではなく、図面の明瞭化と簡略化のために適宜変更している。
【００４３】
（画像管理システム１０）
図２は、本発明の第１実施形態に係る画像管理システム（情報配信システム）１０の構成を示す図である。図２に示すように、画像管理システム１０は、写真シール作成装置（画像生成装置）１、携帯端末（通信端末）６、および管理サーバ（情報配信装置）４を備えている。
【００４４】
撮影画像管理システム１０は、画像データを作成する写真シール作成ゲームと、作成された画像データを保存および管理する画像管理サービスと、画像管理サービスにて保存および管理されている画像データを販売する販売サービスとを提供するためのシステムである。以下、画像管理システム１０を構成する各装置の役割について説明する。
【００４５】
写真シール作成装置１はゲームセンターなどの店舗に設置された装置であり、ユーザの課金に応じて写真シール作成ゲームを提供するものである。写真シール作成ゲームは少なくとも画像の編集工程と、編集した画像（編集済画像）の画像データを管理サーバ４に送信する工程を含むゲームである。換言すると、写真シール作成装置１は、ユーザの課金に応じて画像を生成する画像生成装置である。
【００４６】
なお、写真シール作成ゲームは、編集対象となる画像（撮影画像）を得るための写真撮影工程と、撮影画像および編集済画像を写真シールとして印刷する工程とを含むことが望ましい。また、以降では、撮影画像を編集した編集済画像を管理サーバ４に送信することとして説明を行うが、撮影画像は編集工程を経ずに（未編集で）管理サーバ４に送信されてもよい。以降、撮影画像および編集済画像等、写真シール作成装置１が生成した画像を生成画像と総称する。
【００４７】
管理サーバ４は、生成画像の画像データを保存および管理する画像管理サービスを提供する。具体的には、管理サーバ４は、ユーザに生成画像を保存および閲覧させるための画像提供サイトを管理する。画像提供サイトは、ユーザが自身の画像および他のユーザの画像を閲覧するためのサイトである。また、画像提供サイトは、ＳＮＳ（Social Networking Service）機能を有し、サイト上でのユーザのコミュニケーションを可能にする。
【００４８】
携帯端末６は、ユーザが所持する通信端末である。携帯端末６は、例えば、携帯電話機、スマートフォン、タブレット端末等である。携帯端末６は、無線通信手段または有線通信手段により写真シール作成装置１と通信することができる。また、携帯端末６は、ネットワークを介して管理サーバ４と通信して、画像提供サイトにアクセスすることができる。すなわち、ユーザは、自身が所持する携帯端末６を操作することによって、写真シール作成装置１によって生成された自身の生成画像を画像提供サイトに保存（画像を購入）したり、画像提供サイトに保存された生成画像を閲覧したりすることができる。
【００４９】
なお、ユーザは、携帯端末６と異なる通信端末（例えば、デスクトップ型またはノートブック型のＰＣ等）を用いて、画像提供サイトにアクセスすることもできる。
【００５０】
画像提供サイトへの生成画像の保存には、事前の会員登録が必要である。ユーザは、無料会員または有料会員として自身を画像提供サイトに登録する。無料会員は、会費を支払う必要がないが、画像提供サイトは保存できる生成画像の枚数に制限を受ける。本実施形態では、無料会員は、１回のゲーム（１プレイ）ごとに１枚の生成画像のみを画像提供サイトに保存できる。一方、有料会員は、一定の会費を継続的に支払う必要がある代わりに、画像提供サイトに無制限に生成画像を保存できる。本実施形態では、１プレイで生成された生成画像を全て画像提供サイトに保存できる。
【００５１】
なお、画像提供サイトにおいてユーザに所定の手続きを行わせることで、ユーザ自身の会員属性を、無料会員から有料会員、または有料会員から無料会員に変更できるようにしてもよい。また、有料会員の制度として、一定の会費を継続的に支払うことにより、無制限に生成画像を保存可能な制度ではなく、画像提供サイトに保存した生成画像の枚数に応じて課金する制度を採用してもよい。
【００５２】
画像管理システム１０における写真撮影から画像保存までの流れについて、以下に簡潔に説明する。１人または複数人のユーザは、代金を写真シール作成装置１に支払い（課金し）、写真撮影および画像編集に関するゲームをプレイする。ユーザはゲーム中に自身を被写体として撮影する。ユーザは、撮影によって生成された撮影画像の中から、編集対象の画像をいくつか選択し、好きなように編集する。また、ユーザは、後で生成画像を画像提供サイトに保存するために、写真シール作成装置１に自身のメールアドレスを入力する。
【００５３】
ゲームの終了後、ユーザは写真シールを手に入れる。一方、写真シール作成装置１は、生成した生成画像に、入力されたユーザのメールアドレスを関連付けて、管理サーバ４に送信する。管理サーバ４は、受信したメールアドレス宛に、受信した生成画像を画像提供サイトに保存することを案内するメール（画像保存メール）を送信する。ユーザは、自身の携帯端末６においてこのメールを受信する。メールには、生成画像を画像提供サイトに保存するための手順が、記載されている。ユーザは、その手順に従い、生成画像を保存するための操作を携帯端末６に対して行う。この結果、画像提供サイトにおけるユーザ専用の画像記憶領域に、生成画像が保存される。
【００５４】
画像提供サイトへの画像保存後、ユーザは、携帯端末６または所望の他の装置を用いて画像提供サイトにログインして、生成画像を閲覧したり、生成画像を携帯端末６または所望の他の装置にダウンロードしたりすることができる。
【００５５】
（写真シール作成装置の構成）
画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００５６】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００５７】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００５８】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００５９】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００６０】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００６１】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００６２】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００６３】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００６４】
（編集部１２）
編集部１２は、撮影制御によって得られた撮影画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００６５】
図３に示す編集部１２の構成を正面側の構成とすると、２組のユーザが同時に編集することができるように、編集部１２の正面側と背面側には編集制御に用いられる構成がそれぞれ設けられる。
【００６６】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００６７】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００６８】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００６９】
（事後接客部１３）
図４は、写真シール作成装置の外観を他の角度からみた斜視図である。事後接客部１３は事後接客を行い、ユーザに事後接客に対する操作を行わせる装置である。事後接客には、生成画像を管理サーバ４に送信する処理、ミニゲームをユーザに行わせる処理、アンケートに答えさせる処理などが含まれる。
【００７０】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、生成画像が印刷されたシール紙が排出される排出口などが設けられる。事後接客部１３の正面前方の空間が、シール紙への印刷が終わるのを待っているユーザが事後接客に対する操作を行う事後接客空間となる。
【００７１】
（ユーザの移動）
写真シール作成ゲームの流れと、それに伴うユーザの移動について図５を参照して説明する。図５は、ユーザの移動について説明する図である。
【００７２】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００７３】
なお、ユーザの画像の撮影においては、すべての撮影がシール紙に印刷される画像を撮影するものとは限らず、携帯端末６に送信するため（又は、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００７４】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００７５】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００７６】
編集制御が終了した後、生成画像の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００７７】
画像の印刷が終了したとき、ユーザは、事後接客部１３に設けられた排出口からシール紙を受け取り、一連の写真シール作成ゲームを終えることになる。
【００７８】
（各部材の構成）
次に、写真シール作成装置１に備えられる各部材の構成について説明する。
【００７９】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００８０】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００８１】
正面パネル４１のほぼ中央には撮影・表示ユニット８１が設けられる。撮影・表示ユニット８１は、カメラ９１、正面ストロボ９２、およびタッチパネルモニタ９３から構成される。
【００８２】
カメラ９１は、ＣＣＤ（Charge Coupled Device）またはＣＭＯＳ（complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００８３】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００８４】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００８５】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００８６】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００８７】
足元ストロボ８６の右側には、ユーザがお金を投入する硬貨投入返却口８７が設けられる。
【００８８】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００８９】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００９０】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００９１】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００９２】
タブレット内蔵モニタ１３１は、タッチペン１３２Ａおよび１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００９３】
ここで、ユーザは、編集画面上で、落書きをする感覚で編集をする。編集の種類は、タッチペンで種々の線種および色の落書きをおこなうペン入力、ハートもしくは花びら等の種々の形状または種々のメッセージのスタンプ入力、並びに、背景などに模様を入れる背景操作、名前を入力してスタンプ入力する名前スタンプ機能がある。さらに、化粧のシミュレーションをするコスメ機能、目および顔輪郭などの大きさ形状を微調整する顔微調整機能、並びに、記念日や日付を入れる日付スタンプなどの機能等がある。
【００９４】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００９５】
（事後接客部１３）
編集部１２の左側には事後接客部１３が設けられる。図９は、写真シール作成装置１に備えられる事後接客部１３の構成例を示す図である。
【００９６】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００９７】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００９８】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００９９】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【０１００】
スピーカ１６５は、事後接客時の案内音声、ＢＧＭ、効果音等の音を出力する。
【０１０１】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【０１０２】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【０１０３】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【０１０４】
通信部２０３はインターネットなどのネットワークのインタフェースであり、制御部２０１による制御に従って外部の装置と通信を行う。
【０１０５】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【０１０６】
ＲＯＭ２０６には、制御部２０１において実行されるプログラムおよびデータが記憶されている。ＲＡＭ２０７は、制御部２０１が処理するデータおよびプログラムを一時的に記憶する。
【０１０７】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【０１０８】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【０１０９】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【０１１０】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【０１１１】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【０１１２】
カメラ９１は、制御部２０１による制御に従って撮影を行い、撮影によって得られた画像（撮影画像）を制御部２０１に出力する。
【０１１３】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【０１１４】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【０１１５】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【０１１６】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【０１１７】
また、印刷部２１１は、印刷制御に係る処理において、シール紙への撮影画像（又は編集画像）の印刷に加え、欄外（シール紙の端部など）に、管理サーバ４へ送信した生成画像を取得するためのＵＲＬ（Uniform Resource Locater）、及び、シールＩＤ（画像取得用ＩＤ）などを印刷してもよい。シールＩＤとは、写真シール作成装置１において１プレイで生成された１又は複数の生成画像を一義的に特定するための識別子であり、ユーザが１プレイにおいて生成された画像を取得するための識別子である。ユーザは、生成画像を取得するためのＵＲＬにアクセスし、シールＩＤを入力することにより、写真シール作成装置１において１プレイで生成された生成画像を取得するためのウェブページ（画像取得用ページ）を携帯端末６に表示させることができる。
【０１１８】
これは、例えば、事後接客部１３などにおいてユーザからメールアドレスの入力を受け付ける際に、タイムアウトやミス入力により正しいアドレスを受け付けることができず、生成画像を取得するためのＵＲＬなどの情報をユーザに送信することができないなど場合に、シール紙に印刷されているＵＲＬにアクセスしてシールＩＤを入力することによりユーザが生成画像を取得することができるようにするためである。
【０１１９】
なお、印刷部２１１は、生成画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、生成画像を取得するためのＵＲＬが記載されたメールを管理サーバ４から受信することができる。また、シール紙にＱＲコード（登録商標）が印刷されている場合には、ユーザは、携帯端末６を用いてＱＲコード（登録商標）の示すウェブページへアクセスすることにより、画像取得用ページへ直接アクセスすることもできる。
【０１２０】
（制御部の構成）
図１１は、写真シール作成装置１に備えられる制御部２０１の詳細な構成例を示す機能ブロック図である。この図に示すように、制御部２０１は、通信制御部３１１、撮影制御部３１２、編集制御部３１３、印刷制御部３１４、および事後接客制御部３１５を備えている。
【０１２１】
通信制御部３１１は、通信部２０３による外部の装置との通信を制御する。通信制御部３１１は、写真シール作成装置１が１プレイにおいて生成した１または複数の生成画像に、画像ＩＤをそれぞれ対応付けて管理サーバ４に送信する。なお、画像ＩＤとは、生成画像を一義的に特定するための情報である。また、通信制御部３１１は、写真シール作成装置１が１プレイにおいて生成した１または複数の生成画像に、さらに、シールＩＤ等のその他の情報を対応付けて管理サーバ４に送信してもよい。また、通信制御部３１１は、写真シール作成装置１が１プレイにおいて生成した１または複数の生成画像全てを送信するのではなく、ユーザが指定した生成画像のみを管理サーバ４に送信してもよい。
【０１２２】
本実施形態では、シールＩＤを撮影日時および機器ＩＤから成る情報とし、画像ＩＤを、撮影日時、機器ＩＤおよび１プレイで生成された生成画像を識別するための連番から成る情報とする。また、本実施形態では、通信制御部３１１は、写真シール作成装置１が１プレイにおいて生成した１または複数の生成画像に、画像ＩＤおよびシールＩＤを対応付けて管理サーバ４に送信する。すなわち、通信制御部３１１は、当該生成画像に、撮影日時、機器ＩＤおよび連番を対応付けて送信する。
【０１２３】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理とを制御する。撮影制御部３１２は、画像ＩＤおよびシールＩＤを生成することもできる。
【０１２４】
編集制御部３１３は、編集部１２Ａおよび編集部１２Ｂによる画像に対する落書き編集等、写真シール作成ゲームにおけるユーザの編集制御に関する処理を制御する。
【０１２５】
印刷制御部３１４は、印刷部２１１によるシール紙の印刷等、写真シール作成ゲームにおけるユーザの印刷制御に関する処理を制御する。
【０１２６】
事後接客制御部３１５は、事後接客部１３による、編集作業を終了したユーザグループを接客する処理等、写真シール作成ゲームにおける事後接客に関する処理を制御する。
【０１２７】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部（送信部）４０３を備えている。制御部４０１は、管理サーバ４に備えられる各部材を統括制御する。記憶部４０２は、管理サーバ４において使用される各種データを記憶する。通信部４０３は、画像管理システム１０を構成する他の装置と通信する。
【０１２８】
（制御部４０１の詳細）
図１に示すように、制御部４０１は、通信制御部４１１、メール作成部４１２（表示データ作成部）、ウェブページ作成部（表示データ作成部）４１３、画像管理部４１４およびユーザ管理部４１５を備えている。
【０１２９】
（通信制御部４１１）
通信制御部４１１は、通信部４０３による通信を制御する。
【０１３０】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像提供サイトに生成画像を保存する（画像を購入する）ための画面（購入画面）を携帯端末６に表示させるメール（画像保存メール）を作成し、通信制御部４１１に出力する。画像保存メールが表示させる画面の詳細については後述する。
【０１３１】
なお、以降の説明では、メール作成部４１２は上記画像保存メールを、通信制御部を介し携帯端末６に送信することとして説明を行う。しかしながら、ユーザが写真シール作成装置１に対しメールアドレス以外の情報を入力（または送信）し、かつ当該写真シール作成装置１から管理サーバ４へ、メールアドレスではなく（またはメールアドレスとともに）メール以外の連絡先の情報が送信されてきた場合、メール作成部４１２はメール以外の手段でユーザに対し画像の保存を案内してもよい。
【０１３２】
例えば、所定のアプリケーションが携帯端末６にインストールされており、かつ、ユーザが写真シール作成装置１に対し、当該所定のアプリケーションにおけるユーザＩＤなど、当該所定のアプリケーションにおいてユーザの携帯端末６を特定可能な情報を入力（または送信）した場合、写真シール作成装置１は入力（または送信）された上記情報を管理サーバ４にユーザへの連絡先として送信してもよい。そして、管理サーバ４は、上記情報に基づき、上記所定のアプリケーションを利用して、生成画像を保存するための画面を携帯端末６に表示させてもよい。
【０１３３】
具体的には、写真シール作成装置１から管理サーバ４へ、連絡先としてユーザのメッセージアプリのＩＤが送信されてきた場合、上記メッセージアプリのメッセージ、上記メッセージアプリが提供する伝言板、コメント機能などのサービスを用いて、生成画像を保存するための画面を携帯端末６に表示させるメッセージ（画像保存メッセージ）を送信してもよい。もしくは、上記メッセージアプリまたは画像提供サイトの閲覧のためのアプリなどの更新を知らせる通知（プッシュ通知）を利用して、上記画像保存メッセージに相当する画面を携帯端末６に送信し、携帯端末６に表示させてもよい。もしくは、管理サーバ４はプッシュ通知を利用して、上記メッセージアプリのメッセージやメールソフトのメールを確認するようユーザに促す通知を送信してもよい。
【０１３４】
なお、画像保存メールおよび画像保存メッセージの送信に利用するアプリやメールソフトは、文字列、生成画像の見本となる画像（見本画像、詳しくは後述）、強調画像（後述）、およびリンクまたはオブジェクトを送信可能なものであればよい。
【０１３５】
（ウェブページ作成部４１３）
ウェブページ作成部４１３は、携帯端末６に表示されるウェブページを作成する。本実施形態では、ウェブページ作成部４１３は、会員データベース４２２、ウェブページデータベース４２３および画像データベース４２４に格納されているデータを用いて、携帯端末６から受信したアクセス要求に応じたウェブページを作成し、通信制御部４１１に出力する。詳細は後述するが、ウェブページ作成部４１３は、ユーザの会員種別に応じたウェブページを作成する。
【０１３６】
具体的には、ウェブページ作成部４１３は、画像提供サイトに会員登録するための会員登録ページ、画像提供サイトに生成画像を保存する（画像を購入する）ための画像保存ページ、各ユーザ固有のページであるマイページ等の、画像提供サイトを構成するウェブページを作成する。
【０１３７】
なお、本発明において「ページ」とは、例えば、ウェブページのように、管理サーバ４が携帯端末６等の通信端末に送信して表示するためのデータを意味する。上記ページには、通常、テキストデータおよび画像データが含まれており、さらに、音声データおよび動画データが含まれていてもよい。
【０１３８】
（画像管理部４１４）
画像管理部４１４は、写真シール作成装置１が生成した生成画像を管理する。本実施形態では、画像管理部４１４は、写真シール作成装置１から受信した生成画像のうち、ユーザによって指定された生成画像をユーザに対応付けて画像データベース４２４に保存する。
【０１３９】
画像管理部４１４は、ユーザによって指定された生成画像を保存するとき、当該生成画像を管理するための画像管理情報を生成して、生成した画像管理情報を生成画像に対応付けて保存する。また、画像管理部４１４は、携帯端末６から受信したユーザの操作指示に基づいて、画像管理情報を更新する。
【０１４０】
（ユーザ管理部４１５）
ユーザ管理部４１５は、画像提供サイトの会員であるユーザを管理する。ユーザ管理部４１５は、ユーザを管理するためのユーザ管理情報を生成し、生成したユーザ管理情報を会員データベース４２２に保存する。なお、ユーザ管理部４１５は、非会員のユーザも管理してもよく、非会員のユーザのユーザ管理情報を生成してもよい。
【０１４１】
（記憶部４０２の詳細）
図１に示すように、記憶部４０２は、メールデータベース４２１、会員データベース４２２、ウェブページデータベース４２３、および画像データベース４２４を有している。
【０１４２】
（メールデータベース４２１）
メールデータベース４２１は、ユーザに送信するメールを作成するための各種データを格納している。より具体的には、メールデータベース４２１は、画像保存メールのテンプレート（画像、文字、リンクの配置位置、サイズ、および表示様式などを規定したデータおよび画像保存メールにより表示される画面において機能するスクリプトなど）を格納している。
【０１４３】
（会員データベース４２２）
会員データベース４２２は、画像提供サイトの会員であるユーザに関する各種情報を格納している。本実施形態では、会員データベース４２２には、上記ユーザ管理情報がユーザ毎に格納されている。
【０１４４】
ユーザ管理情報は、図２７に示すように、少なくとも「会員ＩＤ」、「会員属性」、および「連絡先」を含む。また、ユーザ管理情報は「ユーザ名」、「生年月日」、「住所」、「入会日」および「端末ＩＤ」等ユーザに係る各種情報を含んでいてもよい。
【０１４５】
「会員ＩＤ」は、会員であるユーザを一義的に識別するためのＩＤである。「会員属性」は、ユーザの会員属性を示し、「有料」または「無料」が記述される。「連絡先」は、ユーザのメールアドレスやメッセージアプリのＩＤなど、ユーザに各種通知や案内のメールまたはメッセージ等を送信する際の宛先となる少なくとも１つの情報を示す。「ユーザ名」は、ユーザの名称である。「生年月日」は、ユーザの生年月日である。「住所」は、ユーザの住所である。「入会日」は、ユーザが画像提供サイトに会員登録した日である。「端末ＩＤ」は、ユーザが所持する携帯端末６を示し、当該携帯端末６を一意に識別するためのＩＤが記述される。なお以降、会員ＩＤおよび連絡先等のユーザを特定するための情報をユーザ特定情報と称する。
【０１４６】
（ウェブページデータベース４２３）
ウェブページデータベース４２３は、携帯端末６に表示される画像提供サイトのウェブページを作成するための各種データを格納している。より具体的には、ウェブページデータベース４２３は、画像保存ページのテンプレート（画像、文字、オブジェクト、リンクの配置位置、サイズ、および表示様式などを規定したデータおよび画像保存ページにおいて機能するスクリプトなど）を格納している。
【０１４７】
（画像データベース４２４）
画像データベース４２４は、写真シール作成装置１によって生成された生成画像のうち、画像提供サイトに保存するようにユーザによって指示された（すなわち、ユーザが購入した）生成画像を格納している。画像データベース４２４には、生成画像が、会員データベース４２２に会員として登録されているユーザごとに区別されて格納されている。また、画像データベース４２４には、上記画像管理情報もユーザ毎に格納されている。画像管理情報は、例えば、図２８に示すような情報であってよい。図２８に示す画像管理情報は、「画像ＩＤ」、「保存日時」を含む。
【０１４８】
「画像ＩＤ」は、生成画像を一義的に識別するためのＩＤであり、「作成日時」、「機種ＩＤ」および「連番」から構成される。「撮影日時」は、写真シール作成装置１が生成画像を作成した日時である。「機種ＩＤ」は、生成画像を作成した写真シール作成装置１の機種を一義的に識別するためのＩＤである。「連番」は、写真シール作成装置１において１プレイで作成された生成画像を識別するための番号である。例えば、写真シール作成装置１におけるゲームの１プレイで８枚１組の生成画像が作成される場合、「作成日時」および「機種ＩＤ」が同じで、「連番」が異なる（例えば１〜８までの数が割振られる）画像の画像管理情報が８枚分（８行）登録されることとなる。「保存日時」は、生成画像が画像提供サイトに保存された日時である。
【０１４９】
なお、図示はしないが、記憶部４０２は、写真シール作成装置１から受信した生成画像などのデータを一時的に保存する一時保存データベースも有している。
【０１５０】
（通信部４０３の詳細）
通信部４０３は、通信制御部４１１の制御を受けることによって、写真シール作成装置１または管理サーバ４とデータを送受信する。
【０１５１】
（携帯端末６）
図１２は、本発明の実施形態１に係る携帯端末６の要部構成を示すブロック図である。この図に示すように、携帯端末６は、主に、制御部６０１、記憶部６０２、通信部（受信部）６０３、入力部６０４、および表示部６０５を備えている。制御部６０１は、携帯端末６に備えられる各部材を統括制御する。記憶部６０２は、携帯端末６において使用される各種データを記憶する。通信部６０３は、写真シール作成装置１または管理サーバ４と通信する。入力部６０４は、携帯端末６に対するユーザの入力操作を受けつけるものであり、タッチパネルなどの入力装置である。表示部６０５は、液晶表示装置などの、情報を表示するための装置である。
【０１５２】
（制御部６０１の詳細）
図１２に示すように、制御部６０１は、通信制御部６１１、入力制御部６１２、および表示制御部６１３を備えている。
【０１５３】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたメールおよびウェブページの表示データを表示制御部６１３が表示部６０５に出力することによって、当該ウェブページを表示部６０５に表示させることができる。
【０１５４】
（会員登録処理）
画像管理システム１０では、画像提供サイトに会員登録したユーザが、生成画像を画像提供サイトに保存する（すなわち、画像を購入する）ことができる。ユーザは、所定の手順に従い自身を画像提供サイトに有料会員または無料会員として登録する。その手順の一例について、図１３を参照して以下に説明する。図１３は、会員登録処理時に携帯端末６の表示部６０５に表示される会員登録ページの一例を示す画面遷移図である。
【０１５５】
ユーザは、画像提供サイトに会員登録するために、携帯端末６を用いて画像提供サイトにアクセスする。例えば、ユーザは携帯端末６にて受信した画像保存メールの案内に従って（後で詳述するが、画像保存メールにて表示される画像保存画面内の、リンクオブジェクトａ１を選択することによって）画像提供サイトにアクセスする。この結果、図１３の（ａ）に示すような画像提供サイトのトップページ１００１が、携帯端末６の表示部６０５に表示される。トップページ１００１は、会員ログイン処理を進めるためのリンク画像１００２、および無料会員登録処理を進めるためのリンク画像１００３を少なくとも含む。
【０１５６】
ユーザは、携帯端末６の入力部６０４を操作することによって、無料会員登録を進めるためのリンク画像１００３を選択する。この結果、携帯端末６は、管理サーバ４と通信し、結果として、図１３の（ｂ）に示すような、無料会員登録用のウェブページ１０１１を表示部６０５に表示する。
【０１５７】
ウェブページ１０１１は、無料会員登録されるユーザを特定する情報（ユーザ特定情報）を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１５８】
管理サーバ４の通信制御部４１１は、携帯端末６から送信されたユーザ特定情報を通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メール１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１５９】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１６０】
この要求を受けて、管理サーバ４は、無料会員登録を完了させる。具体的には、管理サーバ４が、会員データベース４２２にユーザ用のアカウント領域（会員固有のデータを保存する記憶領域）を作成し、当該アカウント領域に、ユーザ特定情報を保存する。このとき、ユーザが無料会員であることを表す情報を、アカウント領域に追加する。最後に、管理サーバ４は、無料会員登録が完了したことを示すウェブページを作成し、携帯端末６に送信する。
【０１６１】
なお、ユーザは、無料会員の登録後、会員ＩＤ及びパスワードを入力することにより画像提供サイトにログインし、画像提供サイトの有料会員となるために必要な情報（例えば、会費の請求先などの課金に係る情報）を登録するなど、所定の手続きを踏むことによって、自身を有料会員として画像提供サイトに登録することができる。この登録完了後、ユーザのアカウント領域には、ユーザが有料会員であることを表す情報が追加される。
【０１６２】
また、画像提供サイトは、最初から有料会員登録が可能であってもよい。例えばトップページ１００１（図１３の（ａ））に有料会員登録処理を進めるためのリンク画像を配置し、当該リンク画像がユーザに選択された場合、管理サーバ４のウェブページ作成部４１３が、ユーザ特定情報および有料会員となるために必要な情報を入力するための入力フォームと、入力された情報を管理サーバ４に送信するための送信ボタン等のリンク画像とを含む有料会員登録用のウェブページを作成して携帯端末６に送信し、当該ウェブページを表示部６０５に表示させてもよい。そして、有料会員登録用のウェブページにおいてユーザ特定情報および有料会員となるために必要な情報が入力され、これらの情報が管理サーバ４に送信された場合、管理サーバ４は当該ユーザ特定情報に基づき有料会員登録処理を行い、メール作成部４１２にて有料会員登録用メールを作成し、携帯端末６に送信してもよい。そして、携帯端末６の表示部６０５にて表示された有料会員登録用メールに含まれる、有料会員登録の完了を示すウェブページへのＵＲＬをユーザが選択することにより、一連の有料会員登録処理を完了してもよい。
【０１６３】
（サービスの流れ）
次に、画像管理システム１０によって提供されるサービスの流れの詳細について、図１４および図１５を参照して以下に説明する。図１４は、画像管理システム１０における写真撮影からマイページ表示までの一連の処理の流れの一例を示すシーケンス図である。
【０１６４】
（写真撮影）
図１４に示すように、ユーザは、写真シール作成装置１においてゲームのプレイを開始する（Ｓ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１６５】
投入されたと判定した場合、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（Ｓ２）。この撮影制御は撮影処理時間内に複数回行われる。
【０１６６】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１６７】
写真撮影の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１６８】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に画像を編集させる（Ｓ３）。具体的には、編集制御部３１３は、編集対象画像として選択または取得された画像に合成するための合成用画像をユーザに選択させ、選択された合成用画像を画像に合成させ、得られた合成画像を、ユーザによる編集操作に従って編集する。また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。
【０１６９】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１７０】
（写真シール印刷）
案内の終了後、印刷制御部３１４は、ユーザによって選択された画像をプリンタ２４１に出力してシール紙に印刷させる（Ｓ４）。印刷が終了すると、事後接客制御部３１５は、印刷が終了した旨をタブレット内蔵モニタ１６１に表示させ、プリンタ２４１は、管理サーバ４及び写真シール作成装置１から同じ手順で生成画像を取得可能なように、写真シール作成装置１において作成されたシールＩＤおよび、画像取得情報（画像取得サイトのＵＲＬ、または、取得のためのメールアドレスなど）が欄外に印刷され、また、所定の生成画像が中央部に印刷されたシール紙をシール紙排出口１６４に排出する。
【０１７１】
なお、写真シール作成装置１は、管理サーバ４が画像ＩＤおよびシールＩＤの作成に使用するアルゴリズムと同じアルゴリズムを用いて、通信によらない付帯情報で画像ＩＤおよびシールＩＤを作成してもよい。この場合、写真シール作成装置１は、管理サーバ４が画像ＩＤおよびシールＩＤを作成することなく、画像ＩＤおよびシールＩＤを得ることができ、かつ、管理サーバ４は、写真シール作成装置１が作成した画像ＩＤおよびシールＩＤを適切に認識して、対応する一時保管データベースに保存された画像を特定できる。
【０１７２】
（事後接客）
印刷中、事後接客制御部３１５は、事後接客部１３を制御し、印刷終了待機中のユーザに対する事後接客に関する処理を制御する（Ｓ５）。具体的には、事後接客制御部３１５は、事後接客部１３による事後接客に関する処理として、写真シール作成ゲームにおいて生成画像を管理サーバ４に送信するための処理を制御する。その際、事後接客制御部３１５は、ゲームをプレイしたユーザのメールアドレスを入力するためのメールアドレスの入力画面をタブレット内蔵モニタ１６１に表示させる。ユーザは、タッチペン１６２Ａまたはタッチペン１６２Ｂを用いることによって、現在用いているメールアドレスを入力する。なお、ユーザが指定した生成画像のみを管理サーバ４に送信する場合、事後接客制御部３１５は、送信する生成画像の選択画面もタブレット内蔵モニタ１６１に表示させる。
【０１７３】
（画像送信）
通信制御部３１１は、入力されたメールアドレスおよび写真シール作成装置１が１プレイで生成した１または複数の生成画像を、通信部２０３を通じて管理サーバ４に送信する（Ｓ６）。このとき送信される生成画像には、当該生成画像を一義的に特定するための識別子（画像ＩＤ）が関連付けられている。さらに、送信される生成画像に、シールＩＤ等のその他の情報が関連付けられてよい。写真シール作成装置１から送信されたメールアドレス、生成画像、および画像ＩＤ等を、管理サーバ４の通信部４０３が受信し（Ｓ７）、通信制御部４１１に出力する。通信制御部４１１は、受信した生成画像を、記憶部４０２の図示しない一時保存データベースに保存する。保存された生成画像などのデータは、規定の期限が経過するまで一時保存データベースに格納され続け、期限が経過すると自動的に一時保存データベースから削除される。
【０１７４】
このように、ユーザが将来有料会員になる場合を考慮して、１プレイで生成されたすべての生成画像を送信する。そのため、ユーザは、無料会員の状態で写真シール作成装置１を利用した後、サイト上で有料会員になった場合に、写真シール作成装置１において生成されたすべての生成画像を取得することができる。
【０１７５】
なお、通信制御部３１１は、管理サーバ４に対し、ユーザが選択した所定の枚数の生成画像、もしくは、制御部２０１が送信対象と決定した生成画像を送信してもよい。
【０１７６】
（画像保存メールの作成および送信）
通信制御部４１１は、受信したメールアドレスおよび画像ＩＤをメール作成部４１２に出力する。なお、シール紙にシールＩＤが印刷されている場合は、メールに画像ＩＤは記載しなくてもよい。メール作成部４１２は、通信制御部４１１から受け取ったメールアドレス宛に送信される、生成画像の保存をユーザに案内する画像保存メールを作成する。その手順は次の通りである。メール作成部４１２は、画像ＩＤをウェブページ作成部４１３に出力すると共に、当該画像ＩＤによって特定される生成画像を保存するためのウェブページを示すＵＲＬ１１０２の生成を、ウェブページ作成部４１３に要求する。なお、画像ＩＤの入力をユーザに促し、生成画像を保存させるＵＲＬを要求してもよい。ウェブページ作成部４１３は、要求されたＵＲＬ１１０２を生成し、メール作成部４１２に出力する。
【０１７７】
メール作成部４１２は、画像保存メールを作成するためのデータをメールデータベース４２１から取得する。そして、当該データ、ＵＲＬ１１０２、およびユーザのメールアドレスを用いて、後述する図１６の（ａ）に示すような、生成画像のサムネイルと、有料または無料会員登録のためのリンク（ＵＲＬ１１０２へのリンク）とを含む画像保存メール１１０１を作成する。メール作成部４１２は、作成した画像保存メール１１０１を通信制御部４１１に出力する。通信制御部４１１は、通信部４０３を介して、ユーザのメールアドレス宛に画像保存メール１１０１を送信する（Ｓ８）。なお、メール作成部４１２は、画像保存メールとして、図１５の（ａ）に示したような、単にメールの本文中にＵＲＬ１１０２が記載されているのみのメール１１０１を作成してもよい。
【０１７８】
なお、メール作成部４１２は、画像ＩＤとその画像ＩＤにかかわる生成画像とをまとめるウェブページではなく、シールＩＤをユーザに入力してもらうだけのウェブページを示すＵＲＬを含む画像保存メールを送信してもよい。この場合には、管理サーバ４は、画像保存メールに含まれるＵＲＬの示すウェブページ上において、携帯端末６からシール紙の欄外に印刷されたシールＩＤの入力を受け付け、当該管理サーバ４に送信されている生成画像を表示するようにしてもよい。
【０１７９】
（画像保存ページの要求および送信）
携帯端末６の通信部６０３は、送信された画像保存メール１１０１を受信し（Ｓ９）、通信制御部６１１に出力する。通信制御部６１１は、入力された画像保存メール１１０１を表示制御部６１３に出力する。表示制御部６１３は、入力された画像保存メール１１０１を表示部６０５に出力する。ユーザは、表示部６０５に表示された画像保存メール１１０１を確認し、画像提供サイトに画像を保存するために、入力部６０４を用いてＵＲＬ１１０２を選択する（Ｓ１０）。なお、画像ＩＤをユーザが入力するようにしてもよい。
【０１８０】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員ＩＤを取得し、この会員ＩＤを含みかつウェブページの提供を求める所定のリクエストを、通信部６０３を通じて管理サーバ４に送信する。
【０１８１】
通信制御部４１１は、送信されたリクエストを通信部４０３を通じて受信し（Ｓ１１）、ウェブページ作成部４１３に出力する。ウェブページ作成部４１３は、リクエストに含まれる会員ＩＤを会員データベース４２２に照会することによって、ユーザの会員種別を判定する（Ｓ１２）。本実施形態では、ウェブページ作成部４１３は、ユーザが無料会員および有料会員のいずれであるかを判定し、判定結果に応じたウェブページを作成する。なお、管理サーバ４はユーザが無料会員であると判定した場合には、図１５（ｂ）に示すような、無料会員が保存する画像を選択するためのウェブページ１１０３をウェブページ作成部４１３にて作成してもよいし、ウェブページ１１０３を表示することなく、後述する図１６にて説明するように、携帯端末６にて選択されたサムネイルに対応する生成画像を一枚保存してもよい。一方、ユーザが有料会員であると判定した場合には、管理サーバ４は図１５（ｃ）に示すような、保存する画像の一覧を表示したウェブページ１１０７をウェブページ作成部４１３にて作成してもよいし、ウェブページ１１０７を表示することなく、後述する図１６にて表示したサムネイル画像全てに対応する生成画像を保存して、以下で説明する図１５の（ｄ）のウェブページ１１１１に遷移してもよい。
【０１８２】
また、画像を保存する際に、画像にかかわる各情報を修正追記変更可能なウェブページに遷移してもよい。
【０１８３】
図１５（ｂ）に示すように、ウェブページ１１０３は、６つのサムネイル画像１１０４、ユーザに有料会員の登録を促すリンク画像１１０５、および、画像提供サイトに生成画像を１枚保存するためのリンク画像１１０６を含んでいる。サムネイル画像１１０４は、写真シール作成装置１において１プレイで生成された１または複数の生成画像（シールＩＤに対応する１または複数の生成画像）のサムネイル画像である。図１５（ｂ）に示す例では、１プレイで６枚の生成画像が生成されている。サムネイル画像１１０４の数は、写真シール作成装置１において１プレイで生成された生成画像（シールＩＤに対応する生成画像）の数に対応する。ユーザが無料会員である場合には保存できる生成画像が１枚であるため、ユーザは６つのサムネイル画像１１０４の中から１つを選択して、リンク画像１１０６を押下（タップ）することにより、生成画像を画像提供サイトに保存することができる。なお、ユーザが指定した生成画像のみを管理サーバ４に送信している場合、ウェブページ１１０３には、そのユーザが指定した生成画像のサムネイル画像１１０４が表示される。
【０１８４】
図１５（ｃ）に示すように、ウェブページ１１０７は、６つのサムネイル画像１１０４、および、全ての画像を保存するためのリンク画像１１０８を含んでいる。ユーザが有料会員である場合には１プレイで生成された生成画像を全て保存することができるため、ユーザはリンク画像１１０８を押下することにより、１プレイで生成された生成画像全てを画像提供サイトに保存することができる。
【０１８５】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（Ｓ１３）。
【０１８６】
（画像保存）
携帯端末６は、通信部６０３を通じてウェブページ１１０３を受信する（Ｓ１４）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。ユーザが無料会員である場合、生成画像が複数枚あったとしても、画像提供サイトに保存できるのは、それらのうちのいずれか１枚である。ユーザは、１枚の生成画像を保存したい場合、入力部６０４を通じて、いずれかのサムネイル画像１１０４を選択してから、リンク画像１１０６を押下する。なお、当該保存したい生成画像は、写真シール作成装置１において携帯端末６へ送信する生成画像として選択した画像に限られず、例えば、画像提供サイトにアクセスしている携帯端末６において保存対象の画像として指定された生成画像であってもよい。
【０１８７】
入力制御部６１２は、入力部６０４における選択入力を受け付け、所定のサムネイル画像１１０４およびリンク画像１１０６が選択されたことを通信制御部６１１に通知する。これを受けて、通信制御部６１１は、所定のサムネイル画像１１０４に対応する生成画像を保存する指示（画像保存指示）を管理サーバ４に送信する（Ｓ１５）。
【０１８８】
送信された画像保存指示を、通信制御部４１１が通信部４０３を通じて受信する（Ｓ１６）。これにより通信制御部４１１は、画像保存指示の示すユーザが選択した生成画像の保存を画像管理部４１４に指示する。画像管理部４１４は、この指示を受けて、一時保存データベースに格納されているユーザの生成画像の画像管理情報を生成し、生成した画像管理情報を対応付けた生成画像を、ユーザの会員ＩＤに関連付けて画像データベース４２４に保存する（Ｓ１７）。
【０１８９】
なお、無料会員であるユーザは、全ての生成画像を保存したい場合、リンク画像１１０５を選択する。この場合、有料会員登録のための一連の処理が画像管理システム１０において行われる。そして登録が完了すると、全ての生成画像がユーザの会員ＩＤに関連付けられて画像データベース４２４に保存される。
【０１９０】
また、ユーザが有料会員である場合の保存処理は、本質的には上述した無料会員の場合の保存処理と同じである。ただし、ユーザは、ウェブページ１１０７に含まれるリンク画像１１０８を選択する。これにより管理サーバ４は、画像データベース４２４におけるユーザの画像記憶領域に、１プレイで生成された全ての生成画像を保存する。なお、ユーザによる保存する生成画像（無料会員であれば１枚の生成画像、有料会員であれば全ての生成画像）の選択は、写真シール作成装置１において受け付けられていてもよい。この場合には、画像管理部４１４は、写真シール作成装置１において選択されている生成画像を画像データベース４２４に保存すればよい。なお、生成画像の画像提供サイト上への保存は、画像提供サイトの会員のみ行うことができることが望ましい。換言すると、ゲームをプレイした時点で非会員であったユーザは、図１３にて説明した会員登録を済ませてから、生成画像を画像提供サイト上に保存することができることとすることが望ましい。
【０１９１】
画像管理部４１４が生成画像を画像データベース４２４に保存すると、ウェブページ作成部４１３は、画像保存完了ページを作成する。ウェブページ作成部４１３は、例えば、図１５（ｄ）に示す画像保存完了ページ１１１１を作成してもよい。
【０１９２】
図１５（ｄ）に示すように、画像保存完了ページ１１１１は、画像管理部４１４が画像データベース４２４に保存した生成画像のサムネイル画像１１１２およびマイページ（詳細は後述）へのリンクテキスト１１１３を含む。図１５（ｄ）では、画像保存完了ページ１１１１が６つのサムネイル画像１１１２を含み、６つの生成画像が保存された場合を示している。ユーザは、リンクテキスト１１１３を押下することにより、携帯端末６にマイページを表示させることができる。
【０１９３】
ウェブページ作成部４１３は、作成した画像保存完了ページ１１１１を通信制御部４１１に出力する。通信制御部４１１は、入力された画像保存完了ページ１１１１を、通信部４０３を通じて携帯端末６に送信する（Ｓ１８）。
【０１９４】
携帯端末６の通信制御部６１１は、通信部６０３を通じて画像保存完了ページ１１１１を受信し、受信した画像保存完了ページ１１１１を表示制御部６１３に出力する。表示制御部６１３は、入力された画像保存完了ページ１１１１を表示部６０５に出力する（Ｓ１９）。ユーザは、表示部６０５に表示された画像保存完了ページ１１１１を確認することにより、画像提供サイトに保存された生成画像を確認することができる。
【０１９５】
（マイページ表示）
ユーザが画像保存完了ページ１１１１のリンクテキスト１１１３を選択すると（Ｓ２０）、入力制御部６１２は、入力部６０４における選択入力を受け付け、リンクテキスト１１１３が選択されたことを通信制御部６１１に通知する。これを受けて通信制御部６１１は、選択されたリンクテキスト１１１３に対応するマイページを、管理サーバ４に要求する。具体的な手順は次の通りである。通信制御部６１１は、記憶部６０２に格納されているユーザの会員ＩＤを取得し、この会員ＩＤを含みかつマイページの提供を求める所定のリクエストを、通信部６０３を通じて管理サーバ４に送信する。
【０１９６】
通信制御部４１１は、送信されたリクエストを通信部４０３を通じて受信し（Ｓ２１）、ウェブページ作成部４１３に出力する。ウェブページ作成部４１３は、リクエストに基づいてマイページを作成する（Ｓ２２）。具体的には、ウェブページ作成部４１３は、リクエストに含まれる会員ＩＤを会員データベース４２２に照会することによって、ユーザを特定する。ウェブページ作成部４１３は、特定したユーザのユーザ管理情報および画像管理情報を、会員データベース４２２、画像データベース４２４から読み出して、特定したユーザのマイページを作成する。ウェブページ作成部４１３は、例えば、後述する図１９の（ａ）に示すようなマイページ２０００を作成してもよい。
【０１９７】
ウェブページ作成部４１３は、作成したマイページ２０００を通信制御部４１１に出力する。通信制御部４１１は、入力されたマイページ２０００を、通信部４０３を通じて携帯端末６に送信する（Ｓ２３）。
【０１９８】
携帯端末６の通信制御部６１１は、通信部６０３を通じてマイページ２０００を受信し、受信したマイページ２０００を表示制御部６１３に出力する。表示制御部６１３は、入力されたマイページ２０００を表示部６０５に出力する（Ｓ２４）。ユーザは、表示部６０５に表示されたマイページ２０００およびマイページ２０００から遷移するページにおいて、画像提供サイトに保存された生成画像を閲覧することができる。
【０１９９】
マイページ２０００は、画像提供サイトを構成するウェブページであって、ユーザ毎に作成される各ユーザ固有のウェブページである。具体的には、マイページは、ユーザが画像提供サイトに保存した生成画像（ユーザが購入した生成画像）を閲覧するためのウェブページである。また、マイページには、ユーザ名、ユーザのアイコン画像や会員種別（有料会員か無料会員か）など、ユーザが画像提供サイトに登録した情報が表示されてもよい。また、マイページから、保存した生成画像を整理するためのページ、または、他のユーザの生成画像を閲覧するためのページに遷移できてもよい。
【０２００】
（画像保存メールの変形例）
次に、画像保存メール１１０１により携帯端末６の表示部６０５に表示される画面（画像保存画面、購入画面）の変形例について詳細に説明する。図１６は、図１５の（ａ）に示した画像保存メール１１０１の一例を示す図である。
【０２０１】
画像保存メール１１０１には、図１６の（ａ）に示す通り生成画像のサムネイルｂと、生成画像を保存する（生成画像を購入する）ために接続するリンク先のＵＲＬが埋め込まれたリンクオブジェクトａ１とが表示されている。
【０２０２】
サムネイルｂは、写真シール作成装置１においてユーザが直近にプレイしたゲームで生成された生成画像のサムネイル（生成画像のサイズおよび解像度の少なくともいずれかを小さくした（生成画像を圧縮した）画像）であり、生成画像の見本となる画像（見本画像）である。なお、以降は、見本画像として生成画像のサムネイルを用いる場合について説明するが、見本画像は生成画像を特定するための見本であれば、サムネイルでなくてもよい。例えば、見本画像は生成画像の一部を抽出した画像などであってもよい。
【０２０３】
図１６の例では、リンクオブジェクトａ１は、生成画像を全部保存する、すなわち有料会員登録に係る処理を行うためのＵＲＬへのリンクである。ユーザが入力部６０４を介しサムネイルｂのいずれかを選択すると、選択されたサムネイルが、選択前よりも視認性良く（視認性が高い状態で）表示される。より具体的に説明すると、例えば図１６の（ａ）においてサムネイルｂ５が選択されると、図１６の（ｂ）に示すように、サムネイルｂ５が選択前よりも大きなサイズのサムネイルｂ５’として表示される。
【０２０４】
なお、「大きなサイズ」とは、単にサムネイルｂ５の倍率を拡大することのみならず、表示部６０５の表示領域に合わせて、サムネイルｂ５が対応する画像の解像度や表示サイズなどを再調整することであってよい。換言すると、選択後に表示される大きなサイズのサムネイルｂ５’は、選択前のサムネイルｂ５を加工したものであってもよいし、サムネイルｂ５の元となる生成画像から解像度や表示サイズを適宜決定し作成されたものであってもよい。さらに、サムネイルｂ５を表示させておいたまま、サムネイルｂ５’をサムネイルｂ５（および他のサムネイル）に重畳させて表示させてもよい。
【０２０５】
また、「大きなサイズ」とは、サムネイルｂ５’を、サムネイルｂ５に対応する生成画像よりは画像サイズおよび解像度の少なくとも一方が小さいが、選択前のサムネイルｂ５よりは大きなサイズまたは解像度であることが望ましい。これにより、例えばサムネイルｂ５’を携帯端末６のスクリーンショット機能などを用いて撮影することにより画像を複製しても、画像サイズおよび解像度の少なくとも一方が小さい画像、すなわち、元の生成画像から劣化した画像しか取得できなくなる。つまり、携帯端末６において生成画像を不正入手する（会員登録せずに画像を入手する）ことを防ぐことができる。
【０２０６】
このように、選択されたサムネイルをより視認性高く表示する（サムネイルｂ５’）ことにより、ユーザに生成画像の保存前（購入前）に、当該生成画像の写りを確認させることができる。したがってユーザは、生成画像を自分で評価し画像を保存するか否か判断することができる。さらに言えば、特に確認したい生成画像（のサムネイル）について、ユーザが確認したいと思えば、サムネイルを選択することにより、当該サムネイルがより視認性良く（図１６の場合は大きなサイズで）表示される。したがって、ユーザに画像の写りをより詳細に確認させることができ、ユーザの購入意欲を高めることができる。
【０２０７】
なお、サムネイルｂ５’は、単に大きなサイズで表示されるだけでなく、図１６の（ｃ）に示すように、サムネイルｂ５のうちの特定の一部分（例えば、生成画像に写っている人物の顔の部分）が抽出され、当該部分だけが大きなサイズで表示されてもよい。なお、サムネイルｂ５（またはサムネイルｂ５に対応する生成画像）から顔の部分だけを抽出するためには、管理サーバ４は従来からある顔認識の画像処理技術を用いればよい。
【０２０８】
また、画像保存画面には、写真シール作成装置１におけるゲームの１プレイで生成された生成画像のうち少なくとも１枚のサムネイルｂが含まれていればよい。しかしながら、画像保存画面には、可能であれば上記１プレイで生成された生成画像全てのサムネイルｂが表示されることが望ましい。さらに、サムネイルｂとリンクオブジェクトａ１とは、携帯端末６の表示部６０５の表示領域内（ユーザが一度に閲覧可能な領域内、すなわちファーストビュー）に同時に表示されていることが望ましい。サムネイルｂとリンクオブジェクトａ１とを、ユーザが一度に閲覧可能な領域内に表示することにより、画像保存画面を閲覧するユーザはサムネイルｂの確認後、画面をスクロールせずにリンクオブジェクトａ１を選択することができる。したがって、ユーザの画像の購入意欲をより高めることができ、より高確率で会員登録をさせることができる。
【０２０９】
画像保存メール１１０１により表示される画像保存画面について、さらに詳細に説明する。図１７は、図１６に示した画像保存画面の全体の構成を示す図である。図示の通り、画像保存画面には、図１６にて説明したサムネイルｂに加え、有料会員登録ボタン（全購入リンクオブジェクト）ａ２および無料会員登録ボタン（一部購入リンクオブジェクト）ａ３が含まれていることが望ましい。なお、有料会員登録ボタンａ２および無料会員登録ボタンａ３が画像保存画面に含まれている場合、リンクオブジェクトａ１は含まれていなくても構わない。また、画像保存画面には、無料会員登録ボタンａ３、すなわち画像の一部を無料で購入するためのボタンの代わりに、または当該無料会員登録ボタンａ３とともに、画像の一部を課金して購入するためのリンクオブジェクトが含まれていても良い。具体的には、会員登録をせずに１枚以上の画像を購入し、携帯端末６へダウンロードするための購入ボタン（全購入リンクオブジェクトまたは一部購入リンクオブジェクト）などが含まれていても良い。
【０２１０】
さらに言えば、サムネイルｂ、有料会員登録ボタンａ２、および無料会員登録ボタンａ３は、画像保存画面のスクロール方向（図１６および１７の例では下方向）に沿ってこの順に配置されていることが望ましい。これにより、画像保存画面を閲覧するユーザはサムネイルｂを確認した後、自然な視線の流れに沿って有料会員登録ボタンａ２および無料会員登録ボタンａ３を見つけることができる。
【０２１１】
さらに言えば、画像保存画面において、ユーザに先にサムネイルｂを確認させ、画像を保存しようという意欲（購入意欲）を高めてから有料会員登録ボタンａ２および無料会員登録ボタンａ３を見せることができるため、ユーザを効果的に会員登録へと誘導することができる。また、画像全部を保存する（すなわち、有料会員登録する）ほどの購入意欲が無いユーザにも、有料会員登録ボタンａ２の後に無料会員登録ボタンａ３を見せることで、無料会員登録だけでも行わせるよう誘導することができる。
【０２１２】
なお、サムネイルｂ、有料会員登録ボタンａ２、および無料会員登録ボタンａ３が画像保存画面のスクロール方向に沿ってこの順に配置される場合、画像保存画面に、写真シール作成装置１におけるゲームの１プレイの生成画像のサムネイルｂを全て表示しなくてもよく、例えば図１８に示すように、一部のサムネイルｂが途中まで表示されている（表示が見切れている）ような画面構成であってもよい。このように、サムネイルｂを途中まで表示させることによって、ユーザは画像保存画面をスクロールさせ、続きの画面を閲覧しようとする。そして、図１７に示したように、画面のスクロール先には有料会員登録ボタンａ２と、無料会員登録ボタンａ３とが配置されているので、ユーザは自然な視線の流れに沿って会員登録へと誘導されることとなる。
【０２１３】
なお、図１６の（ｂ）にて説明した例では、画像保存メール１１０１が表示させる画像保存画面にリンクオブジェクトａ１を表示することとしたが、サムネイルｂ５’に、生成画像を保存するために接続するリンク先のＵＲＬを埋め込んでいてもよい。換言すると、サムネイルｂ５’自体がリンクオブジェクトａ１を兼ねていてもよい。これにより、画像保存画面の画面領域にリンクオブジェクトａ１を表示せずともよくなりリンクオブジェクトａ１を表示していた領域を空けることができるので、表示部６０５の限られた表示領域の中でサムネイルｂを表示する領域を広げることができる。そのため、例えばサムネイルｂをより大きく表示することができるという利点が得られる。
【０２１４】
また、サムネイルｂそれぞれに、生成画像を保存するために接続するリンク先のＵＲＬを埋め込んだボタンを重畳して配置してもよい。すなわち、上記ボタンがリンクオブジェクトａ１の代わりとして表示されていてもよい。なお当該ボタンは「￥」マークなど、画像が購入可能であることが一目して分かるようなアイコンボタンであることが望ましい。さらには、強調表示されたサムネイル（サムネイルｂ５’など）に上記ボタンを重畳して配置してもよい。
【０２１５】
また、管理サーバ４は、写真シール作成装置１からユーザの連絡先などを受信するときにユーザが会員であるか否か、およびユーザの会員種別も受信する場合は、ユーザが会員か非会員かに応じて、さらには有料会員か無料会員かに応じて画像保存メール１１０１に表示させるボタン（リンクオブジェクト）を変更してもよい。
【０２１６】
より具体的には、例えばユーザが非会員の場合、画像保存メール１１０１には有料会員登録ボタンａ２と、無料会員登録を行うための無料会員登録ボタンａ３とが配置されていることが望ましい。また、ユーザが無料会員の場合は、画像保存メール１１０１には有料会員登録ボタンａ２と、無料会員のまま画像を一部保存することを指示するためのボタンとが配置されることが望ましい。さらに、ユーザが有料会員の場合は、すでに有料会員登録がなされているので、画像保存メール１１０１には有料会員登録ボタンａ２の代わりに、画像を全部保存することを指示するためのボタンが配置されることが望ましい。
【０２１７】
〔実施形態２〕
本発明に係る管理サーバ４は、メール作成部４１２で作成した画像保存メール１１０１において、上述および図１６〜１８に示したように会員登録を促してもよいし、以下に示すように画像提供サイト内のマイページにて、有料会員登録を促してもよい。以下、画像提供サイトのマイページ、およびマイページから遷移する画像保存誘導ページ（後述）について図１９〜図２６を用いて説明する。なお、上述したように、本実施態様においては、画像提供サイトにログインするためには少なくとも無料会員登録が必要である。そのため、以下の説明では、ユーザは既に画像提供サイトの無料会員であると仮定して説明を行う。
【０２１８】
図１９の（ａ）は、画像提供サイトのマイページ２０００の具体例を示す図である。図示の通り、マイページ２０００には、サムネイルｃ１〜ｃ４と、サムネイルｄ１〜ｄ２とが表示されている。ここで、サムネイルｃ１〜ｃ４は、ユーザ（無料会員）が写真シール作成装置１にて作成した生成画像のうち、まだ画像提供サイトに保存していない画像（未保存画像、未購入画像）のサムネイルを示す。一方、サムネイルｄ１〜ｄ２は、生成画像のうちユーザが保存済の画像（保存済画像）のサムネイルを示す。図示の通り、未保存画像のサムネイルｃ１〜ｃ４は、マイページ２０００の上部にまとめて表示される。
【０２１９】
なお、実施形態１と同様、本実施形態においても見本画像の一例として種々のサムネイルを用いることとするが、本実施形態においても見本画像は生成画像を特定するための見本であれば、サムネイルでなくてもよい。
【０２２０】
なお、複数の未保存画像が存在する場合は、当該未保存画像の作成日時（すなわち写真シール作成装置１にてゲームをプレイした日時）などの基準に従って未保存画像のサムネイルを並べてもよい。また、マイページ２０００の画面は、図示の通り下方向にスクロールすることができ、画面をスクロールすることにより、さらにサムネイルを表示可能としてもよい。
【０２２１】
さらに、マイページ２０００において、未保存画像のサムネイルｃ１〜ｃ４は、未保存画像（サムネイルの元画像）から明度、彩度、色相、および解像度の少なくともいずれかが当該サムネイルに対応する上記画像とは異なる値となっている画像である。例えば、図１９の（ａ）に示す例では、サムネイルｃ１〜ｃ４は未保存画像をグレーアウトした（未保存画像よりも、明度および彩度を下げた）画像となっている。なお、グレーアウト以外に、例えばサムネイルｃ１〜ｃ４をホワイトアウトしても（未保存画像よりも、明度および彩度を上げても）よい。もしくは、マイページ２０００において、サムネイルｃ１〜ｃ４に透過度を持った（半透明の）グレーまたはホワイトなどの画像を重畳させて表示することにより、上記グレーアウトまたは上記ホワイトアウトと同様の表示を実現してもよい。
【０２２２】
さらには、上記グレーアウトまたは上記ホワイトアウトの代わりに、または上記グレーアウトまたは上記ホワイトアウトとともに、サムネイルｃ１〜ｃ４に所定の模様（網掛け）や文字（「サンプル」など、サムネイルｃ１〜ｃ４に対応する未保存画像が保存済画像ではないことが明確に分かる表記）などを付してもよい。なお、上記所定の模様や文字の表示はサムネイルｃ１〜ｃ４自体に上記所定の模様や文字を付加することにより実現してもよいし、上記所定の模様や文字を含む画像をサムネイルｃ１〜ｃ４に重畳して表示することにより実現してもよい。このように、マイページ２０００において未保存画像のサムネイルｃ１〜ｃ４を元画像とは明らかに異なる状態で表示することにより、ユーザがサムネイルｃ１〜ｃ４を保存済と誤認することを防ぐことができる。
【０２２３】
そして、携帯端末６の表示部６０５に表示されたマイページ２０００において、未保存画像のサムネイルｃ１〜ｃ４が選択されると、当該選択指示が管理サーバ４に送信される。そして、管理サーバ４のウェブページ作成部４１３は当該選択指示を受けて、画像の保存を促す画像保存誘導ページ２００１（購入画面）を作成し、これを携帯端末６に送信し表示部６０５に表示させる。
【０２２４】
図１９の（ｂ）は、画像保存誘導ページ２００１の一例を示している。図示の通り、画像保存誘導ページ２００１には少なくとも、未保存画像のサムネイルｃ１〜ｃ４と、有料会員登録ボタン（全購入リンクオブジェクト）ｅ２とが含まれている。さらに、画像保存誘導ページ２００１は、無料で一枚画像を保存するための一部保存ボタン（一部購入リンクオブジェクト）ｅ３を含んでいてもよい。
【０２２５】
なお、サムネイルｃ１〜ｃ４はマイページ２０００の場合と同様に、未保存画像（サムネイルの元画像）から明度、彩度、色相、および解像度の少なくともいずれかが当該サムネイルに対応する上記画像とは異なる値となるように表示されている。図１９の（ｂ）の例では、図１９の（ａ）の例と同様、サムネイルｃ１〜ｃ４はグレーアウトされた状態で表示されている。
【０２２６】
ここで、入力部６０４を介し、ユーザがサムネイルｃ１〜ｃ４のいずれかを選択する操作を行うと、当該操作に応じて、選択されたサムネイル（図１９の（ｂ）の例ではサムネイルｃ２）が選択前よりも大きなサイズで表示される。図１９の（ｃ）は、図１９の（ｂ）において、サムネイルｃ２を選択した場合の画像保存誘導ページ２００１を示す図である。図示の通り、サムネイルｃ２はより大きなサイズ、すなわちより視認性が高められた状態（強調表示）で表示される（サムネイルｃ２’）。これにより、ユーザはサムネイルｃ２’に対応する未保存画像の写りを確認することができるので、サムネイルｃ２およびｃ２’の元となる未保存画像の保存をユーザに促すことができる。また、ユーザは、図１９の（ｂ）および（ｃ）の画面を繰り返し表示させてサムネイルｃ１〜ｃ４を確認し、その後全部の画像が欲しい、または欲しい画像が複数ある場合などは、図１９の（ｂ）または（ｃ）の有料会員登録ボタン（全購入リンクオブジェクト）ｅ２を入力部６０４を介して選択することにより、有料会員登録を行うことができる。換言すると、未保存画像のサムネイルｃ１〜ｃ４（のいずれか）と、有料会員登録ボタンｅ２とが、表示部６０５の表示領域内に同時に表示されるため、ユーザに有料会員登録を促すことができる。
【０２２７】
なお、図１９の（ｂ）に示す画面から、図１９の（ｃ）に示す画面への移行は、ページの遷移を伴わないことが望ましい。ユーザはサムネイルｃ１〜ｃ４の選択および選択解除を繰り返してサムネイルｃ１〜ｃ４（より詳しくは、これらのサムネイルに対応する生成画像）の写りを確かめ評価する。そのため、図１９の（ｂ）と（ｃ）との間でのページ遷移を無くすことにより、管理サーバ４および携帯端末６の間でのウェブページのデータの送受信や表示にかかる時間を削減し、ユーザがより操作性良く画像の写りを確かめることができるという利点が生じる。また、図１９の（ｂ）に示す画面から図１９の（ｃ）に示す画面へと移行する際、サムネイルｃ２のグレーアウトを解除した画像をサムネイルｃ２’としてもよい。
【０２２８】
また、画像保存誘導ページ２００１におけるサムネイルｃ１〜ｃ４いずれかの強調表示は、図１９の（ｂ）〜（ｃ）に示した例に限られない。図２０の（ａ）〜（ｅ）は、画像保存誘導ページ２００１におけるサムネイルｃ２’の強調表示の変形例を示す図である。
【０２２９】
図２０の（ａ）〜（ｂ）に示す通り、管理サーバ４のウェブページ作成部４１３は、携帯端末６においてサムネイルｃ１〜ｃ４のいずれかが選択された場合、選択されたサムネイルの少なくとも一部の画像領域の、明度、彩度、色相、および解像度の少なくともいずれかが選択前よりも元の未保存画像と同じまたは近い状態でユーザが閲覧できるように上記選択されたサムネイルを表示させるような、画像保存誘導ページ２００１のデータを作成して携帯端末６に送信してもよい。より具体的に言えば、管理サーバ４のウェブページ作成部４１３は、携帯端末６においてサムネイルｃ１〜ｃ４のいずれかが選択された場合、選択されたサムネイルのグレーアウト（またはサムネイルに重畳されている半透明のグレー画像のレイヤー）を一部または全部解除することにより、選択前のサムネイルに比べ強調表示を行うような画像保存誘導ページ２００１のデータを作成してもよい。
【０２３０】
これにより、管理サーバ４は、携帯端末６におけるユーザのサムネイル選択に応じて元の未保存画像と見た目が同じまたは近い状態で見えるようにサムネイルを提示することで、ユーザに未保存画像を保存（購入）するか否かを検討させることができる。換言すると、管理サーバ４は未保存画像そのものではないが、未保存画像の写りが確認できる程度のサムネイルを、画像保存誘導ページ２００１においてユーザに見せることにより、未保存画像の購入意欲をより高めることができる。
【０２３１】
なお、選択後に表示されるサムネイルｃ２’は、選択前のサムネイルｃ２を加工したものであってもよいし、サムネイルｃ２の元の未保存画像から明度、彩度、色相、および解像度の少なくともいずれかの変更具合を適宜決定し、再作成（生成）されるサムネイルであってもよい。また当然ながら、グレーアウトの解除を、図１９にて説明した強調表示の方法（大きなサイズで表示する）と組み合わせてもよい（図２０の（ａ））。
【０２３２】
さらに、管理サーバ４のウェブページ作成部４１３は、図２０の（ｃ）に示すように、選択されたサムネイルｃ２に写っているユーザの顔を含む画像領域の明度、彩度、色相、および解像度の少なくともいずれかが選択前に比べて上記画像と同じまたは近い状態で見えるように表示するような画像保存誘導ページ２００１を作成してもよい。
【０２３３】
写真シール作成装置１ではユーザが自分を被写体として撮影した撮影画像、または撮影画像を編集した編集済画像が、生成画像として生成される。つまり、生成画像はユーザの顔を含む画像である。そのため、ユーザは生成画像の写りとして、自分の顔がどのように写っているか最も確認したいであろうと推測できる。換言すると、生成画像におけるユーザの顔の写り具合が、当該生成画像の購入の決め手になる可能性が高い。そのため、上述のように、ユーザの顔を含む画像領域を強調表示することにより、ユーザに、当該ユーザが最も確認したいであろう顔の写りをより詳細に確認させ、購入するか否かを検討させることができる。したがって、管理サーバ４はユーザの画像の購入意欲をより高めることができる。
【０２３４】
なお、管理サーバ４のウェブページ作成部４１３は、図２０の（ｄ）に示すように、サムネイルｃ１〜ｃ４のうち、選択されたサムネイル（サムネイルｃ２）のグレーアウトを解除し、かつ、大きなサイズにしたサムネイルｃ２’を、選択前のサムネイルｃ２に重畳して表示させるような画像保存誘導ページ２００１を作成してもよい。
【０２３５】
また、管理サーバ４のウェブページ作成部４１３は、図２０の（ｅ）に示すように、選択されたサムネイル（サムネイルｃ２）の一部のグレーアウト（グレーの半透明画像の重畳）を解除し、かつ、大きなサイズにしたサムネイルｃ２’を表示させるような画像保存誘導ページ２００１を作成してもよい。そして、当該画像保存誘導ページ２００１は、画面をスクロールすることにより、サムネイルｃ２’のうちグレーアウトされている部分（半透明画像が重畳している部分）が変化するようなページであってよい。
【０２３６】
また、図２０の（ｂ）のように、画像保存誘導ページ２００１において選択されたサムネイルのグレーアウトを解除する場合、所定の時間間隔でグレーアウトの解除と再グレーアウトとを繰り返しても良い。
【０２３７】
また、管理サーバ４のウェブページ作成部４１３は、写真シール作成装置１のゲームのうち、直近の１プレイで生成される生成画像のサムネイルだけでなく、過去に（上記１プレイ以前のプレイで）作成された生成画像（過去画像）の未保存画像のサムネイルも表示するような画像保存誘導ページ２００１のデータを作成してもよい。以下、図２１〜２３を用いて、過去画像のサムネイルを表示する場合の画面例について説明する。図２１〜２３は、写真シール作成装置１の直近の１プレイで作成される生成画像のサムネイルｃと、過去画像のサムネイルｃ’とを併せて表示する場合の、画像保存誘導ページ２００１の画面例を示している。
【０２３８】
図２１の（ａ）に示す通り、管理サーバ４のウェブページ作成部４１３は、画像保存誘導ページ２００１として、直近のゲームで生成された生成画像のサムネイルｃと、過去画像のサムネイルｃ’とがそれぞれ１つ以上配置された画面を表示させるようなページのデータを作成してもよい。なおこの場合も、画像保存誘導ページ２００１には上述した有料会員登録ボタンｅ２が少なくとも配置されており、さらに一部保存ボタンｅ３が配置されていてよい。
【０２３９】
さらに、サムネイルｃとサムネイルｃ’とは、画像保存誘導ページ２００１内の、それぞれ異なる領域に区別して配置されることが望ましい。これにより、直近のゲームの生成画像のサムネイルと、過去画像のサムネイルとをユーザが混同してしまうことを防ぐことができる。また、過去画像のサムネイルｃ’が、表示部６０５の表示領域内に収まらないほど多い場合は、図２１の（ａ）の白抜き矢印で示したように、サムネイルｃ’が並んだ領域を左右にスクロールさせることで、サムネイルｃ’の全てが確認できるようにしてもよい。
【０２４０】
このように、生成画像のサムネイルｃと過去画像のサムネイルｃ’とを表示するような画像保存誘導ページ２００１を作成することにより、管理サーバ４は、写真シール作成装置１において直近に作成された生成画像だけでなく、過去に作成されたが、ユーザが画像を保存しなかった（すなわち、未保存画像である）生成画像を保存するように再度案内することができる。
【０２４１】
また、生成画像のサムネイルｃとともに過去画像のサムネイルｃ’が表示されるため、ユーザに保存可能な画像が多く存在することを見せることができ、ユーザが画像を全部保存するため有料会員登録をするように、より誘導することができる。
【０２４２】
さらに図２１の（ｂ）に示すように、画像保存誘導ページ２００１は、過去画像のサムネイルを写真シール作成装置１の機種毎に分類して表示してもよい。例えば、図２１の（ｂ）では、機種Ａで生成された過去画像のサムネイルｃ’と、機種Ｂで生成された過去画像のサムネイルｃ’’と、機種Ｃで生成された過去画像のサムネイルｃ’’’とがそれぞれ区別して表示される。なお、上記分類の基準は機種でなく、過去画像の生成日時や、過去画像の生成場所（写真シール作成装置１の場所）であってもよい。
【０２４３】
このように、過去画像のサムネイルを所定の基準により区分して表示することにより、頻繁に写真シール作成装置１のゲームをプレイするユーザが、画像より確認し易くなるという利点がある。
【０２４４】
さらに、図２２の（ａ）に示すように、生成画像のうち、ユーザが写真シール作成装置１において選択した画像のサムネイル（サムネイルｃ２’）のみを画像保存誘導ページに表示してもよい。またこの場合、写真シール作成装置１にて選択された画像のサムネイルを、過去画像のサムネイルｃ’に比べ強調表示しても構わない。また図２２の（ｂ）に示すように、生成画像のサムネイルｃをスライドショーのように所定の時間感覚で（またはユーザのフリック操作などに応じて）スクロールさせてもよい。
【０２４５】
また、過去画像のサムネイルｃ’の配置位置およびスクロール方向は図２１の例に限定されず、例えば図２３の（ａ）に示すように縦方向の配置およびスクロールであってもよい。また、図２３の（ｂ）に示すように、生成画像のサムネイルｃと過去画像のサムネイルｃ’とを区別せずに並べて配置し、当該サムネイル群（サムネイルｃ＋ｃ’）の中から１枚のサムネイルを選択させ、選択されたサムネイル（同図ではサムネイルｃ２）を強調表示してもよい（サムネイルｃ２’）。さらに、図２３の（ｃ）に示すように、生成画像のサムネイルｃと過去画像のサムネイルｃ’とを区別せずに並べて配置し、これらのサムネイル群を、ページをめくるような表示効果をつけて表示する、またはスライドショーをしてもよい。もしくは、サムネイル群（サムネイルｃ＋ｃ’）を区別せずにまとめて、当該サムネイル群のいずれかの画像を、所定の時間感覚で画像保存誘導ページ２００１に表示してもよい。より具体的に説明すれば、例えばサムネイル群の画像を表示効果（上述したページをめくるような効果）を付けずに、あたかも動画の１コマのように所定の時間間隔で連続して表示させてもよい。
【０２４６】
なお、この他にも画像保存誘導ページ２００１におけるサムネイルの配置、スクロール方向、および強調表示の様式は、携帯端末６の表示部６０５の表示領域の形状やサイズなどに応じて適宜デザインされてよい。
【０２４７】
例えば、図２４の（ａ）に示すように、画像保存誘導ページ２００１において、生成画像のサムネイルｃ１〜ｃ４は斜めに配置およびスクロールされてもよい。そして、いずれかのサムネイル（同図ではｃ１）が選択された場合に、図２４の（ｂ）に示すように、選択されたサムネイル（ｃ１）を強調表示するとともに（サムネイルｃ１’）、有料会員登録ボタンｅ２（および一部保存ボタンｅ３）を上記強調表示するサムネイルと同画面に出現させてもよい。また、図２４の（ｃ）に示すように、画像保存誘導ページ２００１において、有料会員登録ボタンｅ２（および一部保存ボタンｅ３）をサムネイルｃ１〜ｃ４に重畳して表示してもよい。なお、この場合、図２４の(ｂ)および（ｃ）に記載のように、有料会員登録ボタンｅ２（および一部保存ボタンｅ３）とともに、これらのボタンの重畳表示を解除するためのキャンセルボタンｅ４を表示させてもよい。そして、キャンセルボタンｅ４が選択された場合、有料会員登録ボタンｅ２（および一部保存ボタンｅ３）の重畳表示を解除してもよい。なお、上記重畳表示を解除した場合、画像保存誘導ページ２００１は、サムネイルｃ１〜ｃ４を、図１９の（ｂ）に示すように再度グレーアウトしてもよい（再度視認性を低下させてもよい）。または、図２４の（ｃ）に示した上記重畳表示はユーザが解除できない（キャンセルボタンｅ４が配置されていない）状態で表示され、有料会員登録ボタンｅ２（または一部保存ボタンｅ３）が選択されるまで上記重畳表示が続くようにしてもよい。
【０２４８】
また、図２５の（ａ）に示すように、未保存の生成画像（および過去画像）のサムネイルを、表示部６０５の表示領域内においてコラージュのように見えるような大きさおよび配置とし、当該サムネイルのうちのいずれか（図２５の（ａ）ではサムネイルｃ４）を選択した場合に、選択されたサムネイルを強調表示する（サムネイルｃ４’）とともに有料会員登録ボタンｅ２（および一部保存ボタンｅ３）を上記強調表示するサムネイルと同画面に出現させてもよい。もしくは、サムネイル１つではなく、コラージュされたサムネイルの一定の領域を選択することにより、当該領域全体を１つの画像であるかのように扱い（画像ｆ）、当該領域を強調表示することとしてもよい（図２５の（ｃ））。なお、上記「一定の領域」は、ユーザによりその位置および大きさが設定可能であってもよい。例えば、図２５の（ａ）の画面においてユーザに、矩形、円形など任意の形状かつ任意の大きさの領域を選択させてもよい。また、図２５の（ａ）の画面において、コラージュされたサムネイルのうち、いずれのサムネイルから縦横何枚のサムネイルを１つの画像（図２５の（ｃ）の画像ｆ）とするのかをユーザに選択させてもよい。
【０２４９】
また図２６の（ａ）〜（ｂ）に示すように、画像保存誘導ページ２００１は、当該ページにおいて選択されたサムネイルについて、目のサイズの変更、肌色の変更など、当該サムネイル（が示す生成画像）を加工した場合のプレビューなどを表示可能であってもよい。さらに、上記加工として、上記生成画像に含まれる顔部分の領域を抽出したアイコン（顔アイコン）を作成してもよい。なお、生成画像から顔アイコンとして抽出される領域の形、生成画像上の位置、および大きさはユーザが指定してもよいし、予め定められていてもよい。また、顔認識などの公知の画像処理技術を用いて生成画像から顔部分の領域を自動的に抽出しても良い。なお、上記顔認識の技術としては公知技術を用いて良い。さらに、上記生成画像に複数人の顔が写っている場合、上記顔認識の技術を用いて、写っている顔ごとに顔部分を抽出することで個人別の顔アイコンを作成してもよいし、上記複数人の顔部分を含む１つの領域を抽出し、１つの顔アイコンとして扱ってもよい。図２６の（ｃ）に示すように、画像保存メール１１０１において、顔アイコンをサムネイルの代わりに表示し（顔アイコンｂ’）、当該アイコンを選択させるようにしてもよい。
【０２５０】
なお、図１９の（ｃ）にて説明した例では、画像保存誘導ページ２００１に有料会員登録ボタンｅ２（および一部保存ボタンｅ３）を表示することとしたが、有料会員登録ボタンｅ２（および一部保存ボタンｅ３）を表示せずに、選択されたサムネイルに、生成画像を保存するために接続するリンク先のＵＲＬを埋め込んでいてもよい。換言すると、選択されたサムネイル自体が有料会員登録ボタンｅ２（および一部保存ボタンｅ３）の役割を兼ねていてもよい。これにより、画像保存誘導ページ２００１に有料会員登録ボタンｅ２を表示せずともよくなり、有料会員登録ボタンｅ２を表示していた領域にまで選択されたサムネイルの表示を広げることができる。そのため、選択されたサムネイルをより大きく表示することができるという利点が得られる。
【０２５１】
また、サムネイル（ｃ１〜ｃ４など）に、生成画像を保存するために接続するリンク先のＵＲＬを埋め込んだボタンを重畳して配置してもよい。すなわち、上記ボタンが有料会員登録ボタンｅ２（または一部保存ボタンｅ３）の代わりとして表示されていてもよい。なお当該ボタンは「￥」など、画像が購入可能であることが一目して分かるようなアイコンボタンであることが望ましい。さらには、強調表示されたサムネイル（サムネイルｃ２’など）に上記ボタンを重畳して配置してもよい。
【０２５２】
また、図１９の（ａ）に示したマイページ２０００において、サムネイルｃ１〜ｃ４のいずれかが選択された場合、画像保存誘導ページ２００１に遷移せずに（図１９の（ｂ）に示すページに遷移せずに）、マイページ２０００上で選択されたサムネイルの強調表示を行ってもよい。具体的には、図１９の（ａ）に示すマイページ２０００でサムネイルｃ２が選択された場合、マイページ２０００として（画面遷移せずに）図１９の（ｃ）に示すようにサムネイルｃ２を強調表示してもよい（サムネイルｃ２’）。
【０２５３】
また、管理サーバ４は、画像保存メール１１０１を携帯端末６に送信してから画像保存誘導ページ２００１を作成するまでのいずれかの工程において、ユーザが会員であるか否か、およびユーザの会員種別（有料会員か無料会員か）を特定できる場合は、ユーザが会員か非会員かに応じて、さらには有料会員か無料会員かに応じて画像保存誘導ページ２００１に表示させる、会員登録のためのボタン（有料会員登録ボタンｅ２など）を変更してもよい。
【０２５４】
より具体的には、例えばユーザが非会員の場合、画像保存誘導ページ２００１には有料会員登録ボタンｅ２と、無料会員登録を行うための無料会員登録ボタンとが配置されていることが望ましい。また、ユーザが無料会員の場合は、画像保存誘導ページ２００１には有料会員登録ボタンｅ２と、一部保存ボタンｅ３とが配置されることが望ましい。さらに、ユーザが有料会員の場合は、すでに有料会員登録がなされているので、有料会員登録ボタンｅ２の代わりに、画像を全部保存することを指示するためのボタンが配置されることが望ましい。
【０２５５】
〔変形例〕
上記各実施形態における画像提供サイトでは、画像提供サイトのマイページ２０００を閲覧する際には、ユーザは少なくとも無料会員となりログインする必要があった。しかしながら、本発明に係る画像提供サイトは、非会員のユーザに対し、仮のマイページ２０００を閲覧可能としてもよい。具体的には、管理サーバ４のウェブページ作成部４１３は、携帯端末６から画像提供サイトへのアクセスがあった場合に、携帯端末６に、写真シール作成装置１にて作成したシールのシールＩＤを入力するためのウェブページを表示させ、当該ページでシールＩＤの入力があった場合は、当該シールＩＤに対応する画像を未保存画像として表示したマイページ２０００を作成し、携帯端末６に送信してもよい。以降、マイページ２０００から画像保存誘導ページ２００１への画面遷移、および画像保存誘導ページ２００１における各種処理については、会員ユーザと同様に行えばよい。
【０２５６】
なお、この場合、ユーザは非会員であるので、マイページ２０００には保存済画像は表示されなくてもよい。また、図２１等にて説明した、過去画像の未保存画像についても表示されなくてもよい。
【０２５７】
上記各実施形態における画像提供サイトは、画像提供サイト以外のサービスも含む、総合的なプラットフォーム（基幹サービス）となるサイト（情報配信サービス）であってもよい。そして、画像提供サイトへの会員登録が完了することによって、上記画像提供サイト以外のサービスが利用可能になるものであってよい。特に、画像提供サイトは、写真シール作成装置１のユーザの主たる利用層である若年女性を対象とするプラットフォームのサイトであることが好ましい。
【０２５８】
なお、実施形態２にて説明した、画像提供サイト内の画像保存誘導ページ２００１において未保存画像のサムネイルｃ１〜ｃ４を視認性良く表示させる方法を、画像保存メール１１０１により表示される画像保存画面における生成画像のサムネイルｂを視認性良く表示させる方法（図１６の（ｂ）におけるサムネイルｂ５’の表示方法）として採用してもよい。逆に、実施形態１にて説明した、画像保存メール１１０１により表示される画像保存画面におけるサムネイルｂを視認性良く表示させる方法を、実施形態２における未保存画像のサムネイルｃ１〜ｃ４を視認性良く表示させる方法として適用してもよい。
【０２５９】
上記各実施形態では、管理サーバ４のメール作成部４１２が画像保存メール１１０１を作成して、またはウェブページ作成部４１３が画像保存誘導ページ２００１のデータを作成して、携帯端末６は、管理サーバ４から画像保存メール１１０１または画像保存誘導ページ２００１のデータを受信し表示することとした。しかしながら、本発明の実施形態はこれに限るものではない。例えば、携帯端末６は、通信部６０３を介し管理サーバ４から画像保存メール１１０１（または画像保存誘導ページ２００１）として表示する画面における、生成画像のサムネイルのデータのみを受信し、当該サムネイルのデータと、携帯端末６の記憶部６０２などに予め記憶されている、画像保存メールや画像保存誘導ページの画面レイアウトを示す情報や、当該画面を作成する機能を持つプログラムデータなどに基づいて、表示制御部６１３において画像保存メールや画像保存誘導ページの画面を自端末で作成し、作成した画面を表示部６０５に表示させてもよい。
【０２６０】
〔ソフトウェアによる実現例〕
管理サーバ４の制御ブロック（特にメール作成部４１２、ウェブページ作成部４１３、および通信部４０３）、ならびに携帯端末６の制御ブロック（特に入力部６０４、通信部６０３、および表示制御部６１３）は、集積回路（ＩＣチップ）等に形成された論理回路（ハードウェア）によって実現してもよいし、ＣＰＵ（Central Processing Unit）を用いてソフトウェアによって実現してもよい。
【０２６１】
後者の場合、管理サーバ４および携帯端末６は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０２６２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０２６３】
１  写真シール作成装置（画像生成装置）
４  管理サーバ（情報配信装置）
６  携帯端末（通信端末）
１１  撮影ユニット
１２  編集部
１３  事後接客部
２１  撮影部
２０１  制御部
３１１  通信制御部
３１２  撮影制御部
３１３  編集制御部
３１４  印刷制御部
３１５  事後接客制御部
４０１  制御部
４０２  記憶部
４０３  通信部（送信部）
４１１  通信制御部
４１２  メール作成部（表示データ作成部）
４１３  ウェブページ作成部（表示データ作成部）
４１４  画像管理部
４１５  ユーザ管理部
６０１  制御部
６０２  記憶部
６０３  通信部（受信部）
６０４  入力部
６０５  表示部
６１１  通信制御部
６１２  入力制御部
６１３  表示制御部
【図１】
2017027258.tif 000003
【図２】
2017027258.tif 000004
【図３】
2017027258.tif 000005
【図４】
2017027258.tif 000006
【図５】
2017027258.tif 000007
【図６】
2017027258.tif 000008
【図７】
2017027258.tif 000009
【図８】
2017027258.tif 000010
【図９】
2017027258.tif 000011
【図１０】
2017027258.tif 000012
【図１１】
2017027258.tif 000013
【図１２】
2017027258.tif 000014
【図１３】
2017027258.tif 000015
【図１４】
2017027258.tif 000016
【図１５】
2017027258.tif 000017
【図１６】
2017027258.tif 000018
【図１７】
2017027258.tif 000019
【図１８】
2017027258.tif 000020
【図１９】
2017027258.tif 000021
【図２０】
2017027258.tif 000022
【図２１】
2017027258.tif 000023
【図２２】
2017027258.tif 000024
【図２３】
2017027258.tif 000025
【図２４】
2017027258.tif 000026
【図２５】
2017027258.tif 000027
【図２６】
2017027258.tif 000028
【図２７】
2017027258.tif 000029
【図２８】
2017027258.tif 000030